(57)【要約】  １つまたは複数の寸法にわたって、（例えば、フローサイトメータ内の）フローストリーム内の試料からの光を別個に検出するシステムが記載される。実施形態に係る光検出システムは、フローストリーム内で試料を流すように構成されたフローセルと、フローセル内の試料を照射するように構成された光源と、スキャッタバー無しで、フローセルからの光を別個に検出するように構成された、光学調整コンポーネントと検出器とを含む検出器システムと、を備える。特定の実施形態に係るシステムは、光学調整コンポーネントまたは検出器の１つまたは複数のコンポーネントを調節することで、光を別個に検出するように構成される。スキャッタバー無しで、検出器ユニットにより、フローストリーム内の試料からの光を別個に検出する方法も記載される。本システムにおいて使用される２個以上のコンポーネントを有するキットも提供される。【特許請求の範囲】
【請求項１】
フローストリーム内に試料を流すように構成されたフローセルと、
前記フローセル内の前記試料を照射するように構成された光源と、
スキャッタバー無しで、前記フローセルからの光を別個に検出するように構成された検出器ユニットと、
を備えるシステム。
【請求項２】
前記検出器ユニットは、検出器アレイを含む検出器を含む、請求項１に記載のシステム。
【請求項３】
前記検出器アレイは、フォトダイオードのアレイを含む、請求項２に記載のシステム。
【請求項４】
前記検出器ユニットは、前記アレイ内の前記フォトダイオードのサブセットを無効化することで、前記フローストリームからの光を別個に検出するように構成される、請求項３に記載のシステム。
【請求項５】
前記検出器ユニットはさらに、光学調整コンポーネントを含み、
前記検出器ユニットは、前記光学調整コンポーネントまたは検出器の１つまたは複数のコンポーネントを調節することで、前記フローストリームからの光を別個に検出する、請求項１に記載のシステム。
【請求項６】
前記光学調整コンポーネントは溶融光ファイバコンポーネントを含み、前記検出器は検出器アレイを含む、請求項５に記載のシステム。
【請求項７】
前記溶融光ファイバコンポーネントは、テーパ形状の溶融光ファイバ束を含む、請求項６に記載のシステム。
【請求項８】
前記検出器ユニットはさらに、前記溶融光ファイバコンポーネントと前記検出器アレイとの間に配置された光伝導材料を含む、請求項６または７に記載のシステム。
【請求項９】
前記光学調整コンポーネントは、１つまたは複数のレンズを含む、請求項５に記載のシステム。
【請求項１０】
検出器アレイは、フォトダイオードのアレイを含む、請求項５から９のいずれか一項に記載のシステム。
【請求項１１】
前記光学調整コンポーネントは、光マイクロマシンを含む、請求項５に記載のシステム。
【請求項１２】
前記光学調整コンポーネントは、デジタルマイクロミラーデバイスを含む、請求項１１に記載のシステム。
【請求項１３】
前記システムはフローサイトメータである、請求項１から１２のいずれか一項に記載のシステム。
【請求項１４】
フローストリーム内に試料を含むフローセルに光源を照射する段階と、
スキャッタバー無しで、前記フローセルからの光を別個に検出するように構成された請求項１から１２のいずれか一項に記載の検出器ユニットにより、前記フローセルからの光を検出する段階と
を含む方法。
【請求項１５】
フローストリーム内に試料を流すように構成されたフローセルと、
光学調整コンポーネントと、
スキャッタバー無しで、前記フローセルからの光を別個に検出するように構成された請求項１から１２のいずれか一項に記載の検出器ユニットと
を備えるキット。
【発明の詳細な説明】
【技術分野】
【０００１】
［関連出願の相互参照］
米国特許法第１１９条（ｅ）に基づいて、本願は、２０１８年１月２３日に出願された米国仮特許出願第６２／６２０，９１６号明細書の出願日の優先権を主張し、同出願の開示内容は、参照により本明細書に組み込まれる。
【背景技術】
【０００２】
例えば疾患または健康状態の診断に利用される試料（例えば、生体試料）の成分の特徴付けに、光検出が利用されることが多い。照射された試料は、光を散乱、透過、さらに放出さし得る（例えば、蛍光による）。試料成分の形態、吸光率、変化、蛍光標識の有無等の変化は、試料による散乱、透過、または放出光の変化を生じ得る。これら変化は、試料内の成分の特徴付けや、その有無の特定に利用可能である。これら変化の定量化のため、光は収集され、検出器の表面に送られる。検出器に到達する光量は、検出器による出力される光信号の全体的品質に影響し得る。検出器の表面積を大きくすることで、または試料から光をより多く収集することで、検出器に到達する光量を上げることができる。
【０００３】
光検出を利用して試料内の成分の特徴付けを行う技術の１つとして、フローサイトメトリがある。検出された光から生成されたデータを使用して、成分の分布を記録でき、必要があれば物質がソートされ得る。一般的に、フローサイトメータは血液試料等の流体試料を入れる試料リザーバと、シース液を収容するシースリザーバとを備える。フローサイトメータは流体試料内の粒子（細胞を含む）を、フローセルへのセルストリームとして運びながら、シース液もフローセルに送る。セルストリーム上で、略一定速度が伝わるように、フローセル内でセルストリームの周りに液体シースが形成される。フローセルは、ストリーム内で流体力学的に細胞を集中させて、フローセル内で光源の中心を通過させる。光源からの光は、散乱光として、または透過分光法によって検出可能であり、あるいは試料内の１種または２種以上の成分で吸収されて発光として再放出可能である。形態または蛍光標識等の、物質の変化は、観察される光の変化を生じるため、光検出器に光を集めることで特徴付けが可能となる。
【発明の概要】
【０００４】
１つまたは複数の寸法にわたって、フローストリーム内（例えば、フローサイトメータ内）の試料からの光を別個に検出するシステムを説明する。実施形態に係る光検出システムは、フローストリーム内で試料を流すように構成されたフローセルと、フローセル内の試料を照射するように構成された光源と、スキャッタバー無しで、フローセルからの光を別個に検出するように構成された、光学調整コンポーネントと検出器とを含む検出器システムと、を備える。特定の実施形態に係るシステムは、光学調整コンポーネントまたは検出器の１つまたは複数のコンポーネントを調節することで、光を別個に検出するように構成される。スキャッタバー無しで、検出器ユニットにより、フローストリーム内の試料からの光を別個に検出する方法も記載される。本システムにおいて使用される２以上のコンポーネントを有するキットも提供される。
【０００５】
本開示の態様は、スキャッタバー無しで、照射されたフローセルからの光を別個に検出する光検出システムを含む。特定の実施形態に係るシステムは、試料から発する光（例えば、散乱光、蛍光、透過光等）を動的に遮るように構成される。対象のシステムは、フローストリーム内で試料を流すように構成されたフローセルと、フローセル内の試料を照射するように構成された光源と、フローセルからの光を別個に検出するように構成された検出器ユニットと、を備える。いくつかの実施形態では、検出器ユニットは、検出器アレイを含む検出器を含む。これらの実施形態では、システムは、検出器を調節することで、光を別個に検出するように構成される。他の実施形態では、検出器ユニットは、光学調整コンポーネントと検出器とを含む。これらの実施形態において、検出器ユニットは、光学調整コンポーネントまたは検出器の１つまたは複数のコンポーネントを調節することで、光を別個に検出するように構成されてよい。
【０００６】
いくつかの実施形態では、検出器ユニットは溶融光ファイバコンポーネント（例えば、テーパ形状の溶融光ファイバ束）と検出器（例えば、フォトダイオードのアレイ）とを含む。光学調整コンポーネントは、特定の実施形態では、検出器と物理的に接触する。ある場合には、検出器ユニットは、光学調整コンポーネントと、検出器との間に、ゲル（例えば、屈折率整合ゲル）のような光伝導材料を含む。いくつかの実施形態では、検出器ユニットは、アレイ内のフォトダイオードのサブセットを無効化することで、フローセルからの光を別個に検出するように構成される。ある場合には、無効化は可逆的である。別の場合には、無効化は不可逆的である。無効化されたフォトダイオードのサブセットは、１つまたは複数の列、多角形パターン、対称パターン、または非対称パターン等の所定のパターンを形成し得る。
【０００７】
他の実施形態では、検出器ユニットは、デジタルマイクロミラーデバイス等の光マイクロマシン（ＭＯＥＭＳ）と、検出器とを含む。ある場合には、デジタルマイクロミラーデバイスは、ミラーのサブセットを調節するように構成される。一例において、検出器ユニットは、デジタルマイクロミラーデバイス上のミラーのサブセットを傾斜することで、フローセルからの光を別個に検出するように構成される。別の例において、検出器ユニットは、デジタルマイクロミラーデバイス上のミラーのサブセットを無効化することで、フローセルからの光を別個に検出するように構成される。例えば、デジタルマイクロミラーデバイス上のミラーのサブセットは、電気的に無効化されてよい。デジタルマイクロミラーデバイス上の、調節されたミラーのサブセットは、１つまたは複数の列、多角形パターン、対称パターン、または非対称パターン等の所定の形状またはパターンをデジタルマイクロミラー表面上に形成し得る。
【０００８】
本開示の態様は、試料からの光を別個に検出する方法をさらに含む。特定の実施形態に係る方法は、光源により、フローストリーム内の試料を含むフローセルを照射することと、スキャッタバー無しで、フローストリームからの光を別個に検出するように構成された検出器ユニットにより、フローセルからの光を検出することと、を含む。いくつかの実施形態では、検出器ユニットは、検出器を含む。これらの実施形態では、方法は、検出器を調節することで、光を別個に検出することを含む。他の実施形態では、検出器ユニットは、光学調整コンポーネントと検出器とを含み、方法は、光学調整コンポーネントまたは検出器の１つまたは複数のコンポーネントを調節することをさらに含む。ある場合には、検出器ユニットは溶融光ファイバコンポーネント（例えば、テーパ形状の溶融光ファイバ束）とフォトダイオードのアレイとを含み、方法は、試料からの光を別個に検出するためにアレイ内のフォトダイオードのサブセットを無効化することを含む。例えば、アレイ内フォトダイオードのサブセットは、１つまたは複数の列、多角形パターン、対称パターン、または非対称パターン等の所定のパターンの形式で無効化されてよい。他の例では、検出器ユニットは、デジタルマイクロミラーデバイスと、検出器とを含み、方法は、試料からの光を別個に検出するためにデジタルマイクロミラー表面上のミラーのサブセットを調節することを含む。例えば、ミラーのサブセットは、傾斜、回転、または電気的に無効化されるなどして無効化されてよい。デジタルマイクロミラー表面で、ミラーのサブセットは、１つまたは複数の列、多角形パターン、対称パターン、または非対称パターン等の所定のパターンの形態等、所定の形状又はパターンの形態となってよい。
【０００９】
本光検出システムの１つまたは複数のコンポーネントを含むキットも提供される。ある特定の実施形態に係るキットは、フローセルと、光学調整コンポーネント（例えば、ミラー、レンズ、コリメータ、ピンホール、スリット、光ファイバ）や、検出器（例えば、フォトダイオード、光電子増倍管、あるいはフォトダイオードまたは光電子増倍管のアレイ）等、上述の検出器ユニットの１つまたは複数のコンポーネントを備える。
【００１０】
本発明は、添付の図面と併せて読むと、以下の詳細な説明から最もよく理解される。図面には以下の図が含まれている。
【００１１】
ある特定の実施形態に係るデジタルマイクロミラーデバイスを示す。
【００１２】
ある特定の実施形態に係る、デジタルマイクロミラーデバイスによりフローセル内の試料からの光を別個に検出するように構成された集光システムを示す。
【００１３】
ある特定の実施形態に係る、調節された光検出器アレイ付きのフローセルにおける試料からの光を別個に検出するように構成された光検出システムを示す。
【００１４】
ある特定の実施形態に係る、所定のパターンで有効化、無効化された光検出器を有する光検出器アレイの正面図を示す。
【発明を実施するための形態】
【００１５】
１つまたは複数の寸法にわたって、フローストリーム内（例えば、フローサイトメータ内）の試料からの光を別個に検出するシステムを説明する。実施形態に係る光検出システムは、フローストリーム内で試料を流すように構成されたフローセルと、フローセル内の試料を照射するように構成された光源と、スキャッタバー無しで、フローセルからの光を別個に検出するように構成された、光学調整コンポーネントと検出器とを含む検出器システムと、を備える。特定の実施形態に係るシステムは、光学調整コンポーネントまたは検出器の１つまたは複数のコンポーネントを調節することで、光を別個に検出するように構成される。スキャッタバー無しで、検出器ユニットにより、フローストリーム内の試料からの光を別個に検出する方法も記載される。本システムにおいて使用される２以上のコンポーネントを有するキットも提供される。
【００１６】
本発明を詳細に説明する前に、本発明は記載された特定の実施形態に限定されるものではなく、したがって当然ながら変えてよいことを理解すべきである。また、本発明の範囲は添付の特許請求の範囲によってのみ限定されることから、本明細書で使用する用語は、特定の実施形態を説明するためのものに過ぎず、限定することを意図するものではないことも理解すべきである。
【００１７】
値の範囲が与えられる場合、その範囲の上限値と下限値との間の、文脈上別段に明示される場合を除いて、下限値の単位の１０分の１までの各介在値、及びその記載された範囲にあるその他の記載値または介在値は、本発明に包含されることが理解される。このような小さい範囲の上限値及び下限値は、その小さい範囲に別個に含まれてよく、記載された範囲内の明確に除外されたいずれかの境界値に従うとして、これらはまた本発明に包含される。記載された範囲が境界値の一方または両方を含む場合、それらの含まれた境界値の一方または両方を除外する範囲はまた、本発明に包含される。
【００１８】
本明細書において、ある特定の範囲を、数値の前に「約」を付けて提示する。本明細書において、「約」という用語は、それに続く数字そのもの、さらにそれに続く数字に近い、または近似する数をサポートする記載となる。ある数字が、具体的に記載された数字に近いか近似するかの判断は、記載されていない近いまたは近似の数字が、それが提示された文脈において、具体的に記載された数字と実質的に均等の効果を呈し得るかによる。
【００１９】
別段の定義がない限り、本明細書で使用される全ての技術用語及び科学用語は、本発明が属する技術分野の当業者によって一般に理解されるものと同じ意味を有する。本明細書に記載されたものと類似または同等の任意の方法及び材料を、本発明の実施または試験において使用することもできるが、典型的な例示的方法及び材料を以下に記載する。
【００２０】
本明細書に引用される全ての刊行物及び特許は、個々の刊行物または特許が、具体的にかつ個別に示されて参照によって援用されるかのように参照によって本明細書に援用され、その刊行物が関連して引用される方法及び／または材料を開示して記載するために、参照によって本明細書に援用される。任意の刊行物の引用は、その本願出願日前の開示に関するものであり、先行発明の効力により、そのような刊行物に対して本発明が先行していないことを認めるものと解釈されるべきではない。さらに、提供される公開日は、実際の公開日と異なる場合があり、公開日は個別に確認する必要があり得る。
【００２１】
本明細書および添付の特許請求の範囲で使用されるように、単数形「ａ」、「ａｎ」および「ｔｈｅ」は、文脈において明確に別段の指示がない限り、複数の指示対象を含むことに留意されたい。特許請求の範囲は任意選択の要素を除外するように起案できることにもさらに留意されたい。したがって、この言明は、特許請求の範囲の要素の記述に関連した「唯一（ｓｏｌｅｌｙ）」、「のみ（ｏｎｌｙ）」および同様のもの等の排他的な用語の使用、または、「否定的な」限定の使用のための先行詞としての役割を果たすことを意図する。
【００２２】
この開示を読み進める上で当業者にとって明らかであるように、本明細書で説明され、示されている個々の実施形態の各々は、本発明の範囲または精神から逸脱することなく、他のいくつかの実施形態のいずれかの特徴から容易に分離することも、同特徴と組み合わせることもできる別々の構成要素および特徴を有する。記述されるいかなる方法も、記述される事象の順序または論理的に可能な他の任意の順序で実施することができる。
【００２３】
装置および方法を、上記および以下において機能的説明によって文法的に滑らかとなるように説明しているが、請求項は、米国特許法第１１２条に明確に規定されている場合を除き、「手段」または「ステップ」の限定の解釈によって何ら制限されると解釈されるものではなく、判例法による均等論の原則の下で請求項によって提供される定義の意味および均等物の全範囲に一致するものであり、請求項が米国特許法第１１２条に明確に規定されている場合、米国特許法第１１２条の下での完全な法定均等物に一致することが明確に理解されよう。
【００２４】
上記にまとめたように、本開示は、フローセル内の試料からの光を別個に検出する光検出システムを提供する。本開示の実施形態のさらなる説明にあたって、まず本発明の実施形態に係る光検出システムをより詳細に説明する。次に、フローセル内の試料からの光を別個に検出する方法を説明する。フローセルと、光学調整コンポーネントと、試料からの光を別個に検出する検出器ユニットとを有するキットも提供される。
［光を別個に検出するための検出システム］
【００２５】
本開示の態様は、フローセル内の試料からの光を別個に検出するように構成された光検出システムを含む。いくつかの実施形態では、本システムは、フローセル内を流れる試料が発する光を動的に区別するように構成される。例えば、光検出システムは、強度に基づいてフローセル内の試料からの光を動的に区別するように構成されてよい。別の場合には、光検出システムは試料内の異なる細胞集団を区別する等のため、試料内の異なる粒子集団が発する光を区別するように構成される。
【００２６】
さらに別の実施形態では、光検出システムは照射光源からの入射光を動的に遮るように構成される。これは、検出される照射光源からの入射光量を、５０％以上、例えば、６０％以上、７５％以上、８０％以上、８５％以上、９０％以上、９５％以上、９７％以上、９９％以上低減することにより実現され、さらに、検出される照射光源からの入射光量を、９９．９％以上低減することも含む。検出される照射光源からの入射光量を低減することで、本明細書に記載のように、別個に光を検出するように構成されていない集光システムにより収集された蛍光および散乱光からの検出器信号と比較して、試料からの蛍光および散乱光からの検出器信号の強度が増加する。いくつかの実施形態では、本明細書に記載の光検出システムで測定される蛍光および散乱光からの検出器信号強度は、１０％以上、例えば、２５％以上、５０％以上、７５％以上、９０％以上等増加し、さらに、９５％以上の増加も含む。即ち、１．５倍以上、例えば、２倍以上、３倍以上、５倍以上等の増加であり、さらに、１０倍以上の増加も含む。
【００２７】
実施形態では、光検出システムは、フローストリーム内で試料を流すように構成されたフローセルと、フローセル内の試料に照射するように構成された光源と、スキャッタバー無しで、フローセルからの光を別個に検出するように構成された検出器ユニットとを備える。いくつかの実施形態では、検出器ユニットは、光学調整コンポーネントと、検出器とを備える。これら実施形態では、試料からの光を別個に検出するため、光検出システムは、光学調整コンポーネントまたは検出器の１つまたは複数のコンポーネントを調節するように構成される。本明細書において、「光学調整」という用語は、フローセル内の試料からの光を光学的に変化させるコンポーネントを指すように従来どおりの意味で使用される。例えば、光学調整コンポーネントにより、試料からの光の光路、方向、集光、またはコリメートが変化され得る。光学調整コンポーネントは、非限定的に、レンズ（例えば、集光、対物、拡大等）、コリメータ、ミラー（例えば、ダイクロイックミラー）、スリット、ピンホール、フィルタ（例えば、バンドパス、干渉）、回折格子、モノクロメータや、その他種類の光学調整コンポーネントを含み得る。いくつかの実施形態では、当該検出器ユニット内の光学調整コンポーネントは、光ファイバ光リレーシステム等の光リレーシステムである。試料からの光の、検出器ユニット内の検出器への伝播のために、任意の光ファイバ光リレーシステムが利用されてよい。特定の実施形態では、試料からの光の検出器への伝播に適した光ファイバ光リレーシステムは、その開示が参照により本明細書に組み込まれる、米国特許第６，８０９，８０４号明細書に記載されたもののような光ファイバ光リレーシステムを含むが、これに限定されない。ある特定の実施形態では、光学調整コンポーネントは、テーパ形状溶融光ファイバコンポーネント等の溶融光ファイバコンポーネントである。いくつかの実施形態では、光ファイバ光コンポーネントは検出器と物理的に接触する。別の実施形態では、溶融光ファイバコンポーネントは、光ファイバ束と検出器表面との間に光伝導材料を配置することで、検出器に結合される。光伝導ゲル等の、任意の適切な光伝導材料が使用されてよい。例えば、光伝導材料は、屈折率整合光伝導ゲルであってよい。
【００２８】
ある特定の実施形態では、光学調整コンポーネントは、デジタルマイクロミラーデバイス（ＤＭＤ）等の光マイクロマシン（ＭＯＥＭＳ）である。本明細書に記載のデジタルマイクロミラーデバイスという用語は、従来の意味どおり、個別に作動可能な複数のマイクロミラーがデジタルマイクロミラーデバイス活性面に設けられた基板（例えば平面基板）を有する光マイクロマシンを示す。「個別に作動可能」とは、デジタルマイクロミラーデバイスにより反射される光が、活性面から別個に反射されるように、各マイクロミラーが個別に調節され得ることを意味する。各マイクロミラーの調節は、各マイクロミラーの反射率が所望のように調整されるように、ミラーの回転、傾斜、無効化（例えば電気的に無効化）することの内の１つまたは複数を含む。実施形態において、マイクロミラーが回転、傾斜、または無効化により調節される場合、マイクロミラーの所望の反射率は、１％以上、例えば、２％以上、３％以上、５％以上、１０％以上、１５％以上、２５％以上、５０％以上、７５％以上、９０％以上、９５％以上、９７％以上、９９％以上等低減され得、さらに、マイクロミラーの反射率が１００％低減されることも含む。
【００２９】
より詳細に後述するように、いくつかの実施形態では、試料から検出器に伝播される光量を増加または低減するように、ミラーのサブセットが調節されてよい。別の実施形態では、検出器に伝播する光（例えば、照射光源からの入射光または不要な試料集団からの光）を遮蔽するまたは遮るようにミラーのサブセットを調節してよい。さらに別の実施形態では、試料内の異なる種類の細胞から発せられる光等、試料内の異なる粒子集団からの光を区別するように、ミラーのサブセットを調節してよい。
【００３０】
図１は、ある特定の実施形態に係るデジタルマイクロミラーデバイスを示す。デジタルマイクロミラーデバイス１００は、アレイ１０２に配置された複数のマイクロミラーを有する活性面１０１を備える。各マイクロミラー１０３は、個別に作動可能である。これは、調節されたマイクロミラーからの光の反射を低減するか、なくするために、マイクロミラーを傾斜、回転、または無効化することを含む。
【００３１】
対象のデジタルマイクロミラーデバイスの活性面は、任意の適切な形状であってよく、例えば直線で構成された形状（例えば、正方形、長方形、台形、三角形、六角形等）、曲線形状（例えば、円、楕円形）、または不規則な形状（例えば、放物線形状の底部が、平面的な上部に結合される）であってよい。ある特定の実施形態では、デジタルマイクロミラーデバイスは平面的で、長方形の活性面を有する。対象のデジタルマイクロミラーデバイスは、５ｍｍから１００ｍｍの範囲、例えば、１０ｍｍから９０ｍｍ、１５ｍｍから８５ｍｍ、２０ｍｍから８０ｍｍ、２５ｍｍから７５ｍｍ、３０ｍｍから７０ｍｍの範囲で可変の長さを有する活性面を有してよく、さらに、３５ｍｍから６５ｍｍも含む。活性面の幅も、５ｍｍから１００ｍｍの範囲、例えば、１０ｍｍから９０ｍｍ、１５ｍｍから８５ｍｍ、２０ｍｍから８０ｍｍ、２５ｍｍから７５ｍｍ、３０ｍｍから７０ｍｍの範囲で可変であり得、さらに、３５ｍｍから６５ｍｍも含む。実施形態において、デジタルマイクロミラーデバイスの形状に応じて、活性面は、５ｍｍ２から１０００ｍｍ２の表面積、例えば、１０ｍｍ２から９００ｍｍ２、１５ｍｍ２から８００ｍｍ２、２０ｍｍ２から７００ｍｍ２、２５ｍｍ２から６００ｍｍ２、３０ｍｍ２から５００ｍｍ２、３５ｍｍ２から４００ｍｍ２の表面積を有してよく、さらに、４０ｍｍ２から３００ｍｍ２も含む。
【００３２】
フローセルを流れる試料の種類と、デバイスのサイズに応じて、デジタルマイクロミラーデバイスの活性面上の個別に作動可能なミラーの数も可変であり得、その数は５０個以上のマイクロミラー、１００個以上のマイクロミラー、２５０個以上のマイクロミラー、５００個以上のマイクロミラー、７５０個以上のマイクロミラー、１０００個以上のマイクロミラー、２５００個以上のマイクロミラー、５０００個以上のマイクロミラー、７５００個以上のマイクロミラー、１０，０００個以上のマイクロミラーであってよく、さらに、２５，０００個以上のマイクロミラーも含む。各マイクロミラーは可変の寸法を有し得る。対象のマイクロミラーの長さは、１μｍから２５μｍ、例えば、２μｍから２４μｍ、３μｍから２３μｍ、４μｍから２２μｍ、５μｍから２０μｍ、６μｍから１９μｍ、７μｍから１８μｍ、８μｍから１７μｍ、９μｍから１６μであってよく、さらに、１０μｍから１５μｍも含む。各マイクロミラーの幅は、１μｍから２５μｍの範囲、例えば、２μｍから２４μｍ、３μｍから２３μｍ、４μｍから２２μｍ、５μｍから２０μｍ、６μｍから１９μｍ、７μｍから１８μｍ、８μｍから１７μｍ、９μｍから１６μｍであってよく、さらに、１０μｍから１５μｍも含む。
【００３３】
いくつかの実施形態では、光検出システムは、デジタルマイクロミラーデバイス上のマイクロミラーのサブセットを調節することで、光を別個に検出するように構成される。ある場合には、調節はマイクロミラーのサブセットを、当該ミラーのサブセットによる所望の反射率を低減するために傾斜させることを含む。各マイクロミラーは、デジタルマイクロミラーデバイスの表面に対して、５°から１５°、例えば、６°から１４°、７°から１３°傾斜してよく、さらに、デジタルマイクロミラーデバイスの表面に対して８°から１２°傾斜することも含む。別の場合では、調節はマイクロミラーのサブセットを、当該ミラーのサブセットによる所望の反射率を低減するために回転させることを含む。各マイクロミラーは、５°から１５°、例えば、６°から１４°、７°から１３°回転してよく、さらに、８°から１２°回転することも含む。さらに別の実施形態では、光検出システムは、デジタルマイクロミラーデバイス上のマイクロミラーのサブセットを無効化（例えば、電気的に無効化）することで、光を別個に検出するように構成される。マイクロミラーのサブセットの無効化のために、マイクロミラーの反射率を低減するかなくするのに十分な電流をマイクロミラーのサブセットに印加する等、任意の適切なプロトコルを用いてよい。例えば、印加する電流は、マイクロミラーのサブセットの反射率を、５０％以上、例えば、７５％以上、９０％以上、９５％以上、９７％以上、９９％以上低減するのに十分であってよく、さらに、マイクロミラーのサブセットの反射率を１００％低減することも含む。
【００３４】
フローセル内の試料からの光を別個に検出するために調節されるマイクロミラーの数は、別個に検出されるか、遮られる光の種類に応じて変動する。いくつかの実施形態では、デジタルマイクロミラーデバイスの活性面上の、調節されるマイクロミラーのサブセットは、デジタルマイクロミラーデバイス活性面上のマイクロミラーの５％以上、例えば、１０％以上、２５％以上、５０％以上、７５％以上を含んでよく、さらに、デジタルマイクロミラーデバイス活性面上のマイクロミラーの９０％以上が調節されることを含んでよい。調節されるマイクロミラーのサブセットは、デジタルマイクロミラーデバイス活性面上で、例えば直線で構成されたパターン（例えば、正方形、長方形、台形、三角形、六角形等）、曲線パターン（例えば、円、楕円形）、または非対称パターン、不規則なパターン（例えば、放物線形状の底部が、平面的な上部に結合される）等の、１つまたは複数の所定のパターンの形態をとってよい。別の実施形態では、試料からの光を別個に検出するために調節されるマイクロミラーのサブセットは、デジタルマイクロミラーデバイスの表面全体に１つまたは複数の列に沿って配置される。
【００３５】
いくつかの実施形態では、対象の集光システムは、試料内の異なる細胞から発せられる光等、試料内の異なる粒子からの光を区別するように調節されるマイクロミラーのサブセットを、デジタルマイクロミラーデバイスの活性面上に備える。これら実施形態では、試料内の不要な細胞集団、細胞片、不純物または非細胞成分からの散乱光等の、試料の不要な成分からの光を遮るように、マイクロミラーのサブセットが傾斜、回転、または無効化されてよい。例えば、具体的に試料内の２つの異なる細胞集団を特徴付けることが望まれる場合、これら細胞集団からの光に対応する、デジタルマイクロミラーデバイスのマイクロミラーのみを有効にしてよく、デジタルマイクロミラーデバイスのその他マイクロミラーを無効化して、試料内のその他の不要な細胞集団からの光を遮ってよい。このように、本集光システム内の検出器ユニットは、複数の異なる細胞集団を有する試料内において、１個以上の異なる細胞集団（例えば、２個以上の異なる細胞集団、３個以上、４個以上、５個以上、６個以上、７個以上、さらに、複数の異なる細胞集団を有する試料内の１０個以上の異なる細胞集団も含む）を具体的に特徴付けるように構成されてよい。
【００３６】
別の実施形態では、対象の集光システムは、不要な光を検出器表面に伝播しないよう遮るように調節されたマイクロミラーのサブセットを、デジタルマイクロミラーデバイスの活性面上に備える。例えば、マイクロミラーのサブセットは、照射光源からの入射光を検出器表面に伝播しないよう遮るように調節されてよい。これら実施形態では、調節されるマイクロミラーのサブセットは、デジタルマイクロミラー表面にわたって１つまたは複数の列の形態であってよい。この形態は、照射光源からの散乱した入射光またはそうでなければ遮られない入射光に対応する。
【００３７】
任意の特定の時間に調節される、デジタルマイクロミラーの活性面上のマイクロミラーのサブセットは、任意の好適な数のマイクロミラーを含んでよく、例えば、１０個以上のマイクロミラー、２５個以上のマイクロミラー、５０個以上のマイクロミラー、１００個以上のマイクロミラー、２５０個以上のマイクロミラー、５００個以上のマイクロミラー、１０００個以上のマイクロミラー、２５００個以上のマイクロミラーであってよく、さらに、５０００個以上のマイクロミラーも含む。このように、フローセル内の試料からの光を別個に検出するために調節されるマイクロミラーのサブセットは、デジタルマイクロミラーデバイスの活性面上のマイクロミラーの総数に対して、５％から７５％、例えば、１０％から７０％、１５％から６５％、２０％から６０％であってよく、さらに、デジタルマイクロミラーデバイスの活性面上のマイクロミラーの総数に対して２５％から５０％も含む。デジタルマイクロミラーデバイスの活性面の全体的なサイズに応じて、フローセル内の試料からの光を別個に検出するように調節されるマイクロミラーのサブセットは、０．０１ｍｍから２５ｍｍの範囲の長さ、例えば、０．０５ｍｍから２０ｍｍ、０．１ｍｍから１５ｍｍ、０．５ｍｍから１０ｍｍ、１ｍｍから９ｍｍの長さを有してよく、さらに、２ｍｍから８ｍｍも含む。試料からの光を別個に検出するように調節されるマイクロミラーのサブセットの幅も、０．０１ｍｍから２５ｍｍの範囲、例えば、０．０５ｍｍから２０ｍｍ、０．１ｍｍから１５ｍｍ、０．５ｍｍから１０ｍｍ、１ｍｍから９ｍｍの範囲であってよく、さらに、２ｍｍから８ｍｍも含む。実施形態において、試料からの光を別個に検出するように調節されるマイクロミラーのサブセットのパターンに応じて、調節されるマイクロミラーのサブセットは、デジタルマイクロミラーデバイスの表面積の内、０．１ｍｍ２から５００ｍｍ２、例えば、０．５ｍｍ２から４５０ｍｍ２、１ｍｍ２から４００ｍｍ２、２ｍｍ２から３５０ｍｍ２、３ｍｍ２から３００ｍｍ２、４ｍｍ２から２５０ｍｍ２、５ｍｍ２から２００ｍｍ２を占めてよく、さらに、１０ｍｍ２から１００ｍｍ２も含む。
【００３８】
特定の実施形態ではデジタルマイクロミラーデバイスの活性面上のマイクロミラーのサブセットは、複数のマイクロミラーの内の１つまたは複数が所望の期間の間、例えば、０．００１μｓ以上、０．０１μｓ以上、０．１μｓ以上、０．５μｓ以上、１μｓ以上、５μｓ以上、１０μｓ以上、２５μｓ以上、５０μｓ以上、１００μｓ以上、５００μｓ以上の間、傾斜、回転、または無効化されるように動的に調節され、さらに、１０００μｓ以上も含む。特定の実施形態では、デジタルマイクロミラーデバイスの活性面上のマイクロミラーのサブセットは長時間の間、例えば、１秒以上、５秒以上、１０秒以上、１５秒以上、３０秒以上、６０秒以上、１２０秒以上、２４０秒以上、３６０秒以上、４８０秒以上の間、動的に調節され、さらに、６００秒以上も含む。ある特定の場合において、マイクロミラーのサブセットは、フローセル内の試料が光源によって照射される期間全体で動的に調節される。
【００３９】
図２は、ある特定の実施形態に係る、デジタルマイクロミラーデバイスの活性面上のマイクロミラーのサブセットを調節することで、フローセル内の試料からの光を別個に検出するように構成された集光システムを示す。光源２０１は、デジタルマイクロミラーデバイス２００に光を照射し、デジタルマイクロミラーデバイス２００が光をフローセル２０２内の試料に反射する。フローセル２０２内の試料からの光（例えば、前方散乱光）が、デジタルマイクロミラーデバイスに逆伝播し、検出器２０３へと反射される。デジタルマイクロミラーデバイス２００からフローセル２０２にのみ光を反射し、検出器２０３に逆反射させないように、光源２０１により照射されるマイクロミラーを調節することで、入射光（例えばレーザ散乱）が、検出器２０３により収集および検出されないように遮られ得る。
【００４０】
実施形態に係るフローセル内の試料からの光を別個に検出するように構成された集光システムは、さらに検出器を備える。対象の検出器は、これらに限定されないが、他の光検出器の中で特に、アクティブピクセルセンサ（ＡＰＳ）、アバランシェフォトダイオード、撮像素子、電荷結合素子（ＣＣＤ）、増強電荷結合素子（ＩＣＣＤ）、発光ダイオード、光子計数器、ボロメータ、焦電検出器、フォトレジスタ、太陽電池、フォトダイオード、光電子増倍管、フォトトランジスタ、量子ドット光伝導体またはフォトダイオード、および、それらの組合せ等の光学センサまたは光検出器を含み得る。特定の実施形態では、透過光は、電荷結合素子（ＣＣＤ）、半導体電荷結合素子（ＣＣＤ）、アクティブピクセルセンサ（ＡＰＳ）、相補型金属酸化膜半導体（ＣＭＯＳ）撮像素子またはＮ型金属酸化膜半導体（ＮＭＯＳ）撮像素子で測定される。
【００４１】
いくつかの実施形態では、フローセル内の試料からの光を別個に検出する対象の検出器は、複数の検出器を含む。ある場合には、検出器ユニットは、フォトダイオード等の半導体検出器を含む。ある特定の場合において、検出器ユニットは、フォトダイオードアレイのような、光検出器アレイを含む。これらの実施形態において、光検出器アレイは、４個以上の光検出器、例えば、１０個以上の光検出器、２５個以上の光検出器、５０個以上の光検出器、１００個以上の光検出器、２５０個以上の光検出器、５００個以上の光検出器、７５０個以上の光検出器等の光検出器を含んでよく、さらに、１０００個以上の光検出器も含む。例えば、検出器は、４個以上のフォトダイオード、例えば、１０個以上のフォトダイオード、２５個以上のフォトダイオード、５０個以上のフォトダイオード、１００個以上のフォトダイオード、２５０個以上のフォトダイオード、５００個以上のフォトダイオード、７５０個以上のフォトダイオードを有するフォトダイオードアレイであってよく、さらに、１０００個以上のフォトダイオードも含む。
【００４２】
光検出器は所望のとおりの、任意の幾何学的構成に配置されてよい。対象の配置は、正方形構成、長方形構成、台形構成、三角形構成、六角形構成、七角形構成、八角形構成、九角形構成、十角形構成、十二角形構成、円形構成、楕円形構成、さらに不規則なパターンの構成を含むが、これらに限定されない。光検出器アレイ内の光検出器は互いに、（Ｘ−Ｚ平面において）１０°から１８０°、例えば、１５°から１７０°、２０°から１６０°、２５°から１５０°、３０°から１２０°等の範囲の角度で配向されてよく、さらに、４５°から９０°も含む。光検出器アレイは任意の適切な形状であってよく、例えば直線で構成された形状（例えば、正方形、長方形、台形、三角形、六角形等）、曲線形状（例えば、円、楕円形）、または不規則な形状（例えば、放物線形状の底部が、平面的な上部に結合される）であってよい。ある特定の実施形態では、光検出器アレイは長方形活性面を有する。
【００４３】
アレイ内の各光検出器（例えば、フォトダイオード）は、活性面の幅が５μｍから２５０μｍ、例えば、１０μｍから２２５μｍ、１５μｍから２００μｍ、２０μｍから１７５μｍ、２５μｍから１５０μｍ、３０μｍから１２５μｍ、５０μｍから１００μｍの範囲内で、長さが５μｍから２５０μｍ、例えば、１０μｍから２２５μｍ、１５μｍから２００μｍ、２０μｍから１７５μｍ、２５μｍから１５０μｍ、３０μｍから１２５μｍ、５０μｍから１００μｍの範囲内であってよい。ここで、アレイ内の各光検出器（例えば、フォトダイオード）の表面積は、２５μｍ２から１００００μｍ２、例えば、５０μｍ２から９０００μｍ２、７５μｍ２から８０００μｍ２、１００μｍ２から７０００μｍ２、１５０μｍ２から６０００μｍ２等の範囲内であり、さらに、２００μｍ２から５０００μｍ２も含む。
【００４４】
光検出器アレイのサイズは、フローセル内の試料から伝播される光の量、光検出器の数、および所望の感度に応じて可変であり得、長さが０．０１ｍｍから１００ｍｍ、例えば、０．０５ｍｍから９０ｍｍ、０．１ｍｍから８０ｍｍ、０．５ｍｍから７０ｍｍ、１ｍｍから６０ｍｍ、２ｍｍから５０ｍｍ、３ｍｍから４０ｍｍ、４ｍｍから３０ｍｍ等の範囲内であってよく、さらに、５ｍｍから２５ｍｍも含む。光検出器アレイの幅も可変であり得、０．０１ｍｍから１００ｍｍ、例えば、０．０５ｍｍから９０ｍｍ、０．１ｍｍから８０ｍｍ、０．５ｍｍから７０ｍｍ、１ｍｍから６０ｍｍ、２ｍｍから５０ｍｍ、３ｍｍから４０ｍｍ、４ｍｍから３０ｍｍ等の範囲内であってよく、さらに、５ｍｍから２５ｍｍも含む。このように、光検出器アレイの活性面は、０．１ｍｍ２から１００００ｍｍ２、例えば、０．５ｍｍ２から５０００ｍｍ２、１ｍｍ２から１０００ｍｍ２、５ｍｍ２から５００ｍｍ２等の範囲内であってよく、さらに、１０ｍｍ２から１００ｍｍ２も含む。
【００４５】
いくつかの実施形態では、光検出器アレイ内の各光検出器は、アレイ内の検出器により、試料からの光が別個に検出されるように、個別に調節されてよい。ある場合には、光検出器アレイにわたった列等、所定のパターンまた形状を形成する、光検出器のアレイまたはサブセットの特定の領域内の光検出器群等の、光検出器のサブセットが調節されてよい。
【００４６】
例えば、アレイ内の各光検出器は、光検出器アレイの異なる領域が、異なる光検出を行うように構成されるように、測定中の試料に応じて所望のとおりに無効化（可逆的にまたは不可逆的に）されてよい。いくつかの実施形態では、アレイの特定領域の光検出器が低減した光量を検出するように構成されるように、アレイ内の１つまたは複数の光検出器が部分的にまたは完全に無効化されてよい。即ち、光検出器が、特定領域の当該光検出器の表面にあたる光の９５％以下、例えば、９０％以下、８５％以下、７５％以下、５０％以下、２５％以下、１０％以下、５％以下、３％以下、１％以下等を検出し、さらに、特定の領域の光検出器の表面に当たる光の０．１％以下も含む。ある特定の場合において、光検出器アレイ内の光検出器のサブセットは、サブセット内の光検出器によって光が検出されないように無効化される。
【００４７】
フローセル内の試料からの光を別個に検出するように調節される光検出器の数は、別個に検出される、または遮られる光の種類に応じて変わる。いくつかの実施形態では、光検出器アレイ内の調節される光検出器のサブセットは、光検出器アレイ内の光検出器の５％以上、例えば、１０％以上、２５％以上、５０％以上、７５％以上等であってよく、さらに、光検出器アレイ内の光検出器の９０％以上が調節されることも含む。光検出器のサブセットは光検出器アレイ内で、例えば直線で構成されたパターン（例えば、正方形、長方形、台形、三角形、六角形等）、曲線パターン（例えば、円、楕円形）、または非対称パターン、不規則なパターン（例えば、放物線形状の底部が、平面的な上部に結合される）等、１つまたは複数の所定のパターンの形態をとってよい。別の実施形態では、試料からの光を別個に検出するように調節される光検出器のサブセットは、光検出器アレイにわたった１つまたは複数の列に沿って配置される。
【００４８】
いくつかの実施形態では、対象の集光システムは、試料内の異なる細胞から発せられる光等、試料内の異なる粒子からの光を区別するように調節される、光検出器アレイ内の光検出器のサブセットを含む。これら実施形態では、光検出器のサブセットは、試料内の不要な細胞集団、細胞片、不純物、または非細胞成分からの散乱光等、試料の不要な成分からの光を遮るように、部分的または完全に無効化されてよい。例えば、具体的に試料内の２つの異なる細胞集団を特徴付けることが望まれる場合、光検出器アレイ内の、これら細胞集団からの光に対応する光検出器のみを有効化し、光検出器アレイ内のその他の光検出器を無効化することで、試料内のその他不要な細胞集団から発する光を遮ってよい。このように、本集光システム内の検出器ユニットは、複数の異なる細胞集団を有する試料内の、１個以上の異なる細胞集団、例えば、２個以上の異なる細胞集団、３個以上、４個以上、５個以上、６個以上、７個以上等を具体的に特徴付けるように構成されてよく、さらに、複数の異なる細胞集団を有する試料内の１０個以上の異なる細胞集団も含む。
【００４９】
別の実施形態では、対象の集光システムは、不要な光を光検出器アレイが検出しないように遮るため、光検出器アレイの内、部分的にまたは完全に無効化される光検出器のサブセットを備える。例えば、光検出器のサブセットは、照射光源からの入射光を検出器が検出しないように遮るため、部分的にまたは完全に無効化されてよい。これら実施形態においては、無効化される光検出器のサブセットは、光検出器アレイにわたった１つまたは複数の列の形態であってよい。この形態は、照射光源からの散乱光またはその他形式の遮られない入射光に対応する。
【００５０】
任意の特定の時間に部分的にまたは完全に無効化される、光検出器アレイ内の光検出器のサブセットは、任意の適切な数の光検出器を含んでよく、例えば、１０個以上の光検出器、２５個以上の光検出器、５０個以上の光検出器、１００個以上の光検出器、２５０個以上の光検出器、５００個以上の光検出器、１０００個以上の光検出器、２５００個以上の光検出器、さらに、５０００個以上の光検出器も含んでよい。このように、フローセル内の試料からの光を別個に検出するために部分的または完全に無効化される光検出器のサブセットは、光検出器アレイ内の光検出器の総数に対して５％から７５％、例えば、１０％から７０％、１５％から６５％、２０％から６０％等であってよく、さらに、光検出器アレイ内の光検出器の総数に対して２５％から５０％も含む。光検出器アレイの全体的なサイズに応じて、フローセル内の試料からの光を別個に検出するために部分的または完全に無効化される光検出器のサブセットは、０．０１ｍｍから２５ｍｍの範囲、例えば、０．０５ｍｍから２０ｍｍ、０．１ｍｍから１５ｍｍ、０．５ｍｍから１０ｍｍ、１ｍｍから９ｍｍ等の長さを有してよく、さらに、２ｍｍから８ｍｍも含む。試料からの光を別個に検出するために部分的または完全に無効化される光検出器のサブセットの幅も、０．０１ｍｍから２５ｍｍ、例えば、０．０５ｍｍから２０ｍｍ、０．１ｍｍから１５ｍｍ、０．５ｍｍから１０ｍｍ、１ｍｍから９ｍｍ等の範囲であってよく、さらに、２ｍｍから８ｍｍも含む。実施形態において、試料からの光を別個に検出するために部分的または完全に無効化される光検出器のサブセットのパターンに応じて、調節される光検出器のサブセットは、表面積の内、０．１ｍｍ２から５００ｍｍ２、例えば、０．５ｍｍ２から４５０ｍｍ２、１ｍｍ２から４００ｍｍ２、２ｍｍ２から３５０ｍｍ２、３ｍｍ２から３００ｍｍ２、４ｍｍ２から２５０ｍｍ２、５ｍｍ２から２００ｍｍ２等を占めてよく、さらに、１０ｍｍ２から１００ｍｍ２も含む。
【００５１】
特定の実施形態では、光検出器アレイ内の光検出器のサブセットは、アレイ内の光検出器のうちの１つまたは複数が、例えば、０．００１μｓ以上、例えば、０．０１μｓ以上、０．１μｓ以上、０．５μｓ以上、１μｓ以上、５μｓ以上、１０μｓ以上、２５μｓ以上、５０μｓ以上、１００μｓ以上、５００μｓ以上等の所望の期間（例えば、レーザパルスの間）、部分的または完全に無効化されるように動的に無効化されてよく、さらに、１０００μｓ以上も含む。特定の実施形態では、光検出器アレイ内の光検出器のサブセットは長時間の間、例えば、１秒以上、５秒以上、１０秒以上、１５秒以上、３０秒以上、６０秒以上、１２０秒以上、２４０秒以上、３６０秒以上、４８０秒以上の間、動的に無効化されてよく、さらに、６００秒以上も含む。ある特定の場合において、光検出器アレイ内の光検出器のサブセットは、フローセル内の試料が光源によって照射される期間全体で動的に無効化される。
【００５２】
図３は、ある特定の実施形態に係る、調節された光検出器アレイによりフローセル内の試料からの光を別個に検出する光検出システムを示す。フローセル３０２を流れる試料は、レーザ３０１からの光で照射される。試料から発する光は、テーパ形状溶融光ファイバコンポーネント３０３により収集され、複数の光検出器３０４ａを有する光検出器アレイ３０４に伝播する。光検出器アレイ３０４（正面視）は、光検出器アレイ３０４により検出される、レーザ３０１からの光量を低減するために無効化された光検出器のサブセット３０４ａ１を備える。光検出器３０４ａ２は完全に有効化されており、フローセル３０２から、試料成分からの光を検出するように構成されている。
【００５３】
図４は、ある特定の実施形態に係る、有効化および無効化光検出器を所定のパターンで有する光検出器アレイ４００の正面図である。特定のパターンで光検出器を無効化することで、不要な光（例えば、入射照射源から、または試料内の不要な細胞集団から）が遮られ得る。光検出器アレイ４００は、遮蔽が望まれる光に対応した、所定の明確なパターンで配置された、有効光検出器４００ａと無効光検出器４００ｂとを備える。
【００５４】
対象の光検出器は、収集された光を１個以上の波長、例えば、２個以上の異なる波長、５個以上の異なる波長、１０個以上の異なる波長、２５個以上の異なる波長、５０個以上の異なる波長、１００個以上の異なる波長、２００個以上の異なる波長、３００個以上の異なる波長等で測定するように構成され、さらに、フローストリーム内の試料から放出される光を４００個以上の異なる波長で測定することも含む。
【００５５】
いくつかの実施形態では、光検出器は、ある範囲の波長（例えば、２００ｎｍ〜１０００ｎｍ）にわたって収集された光を測定するように構成される。特定の実施形態では、対象の光検出器は、ある範囲の波長にわたって光のスペクトルを収集するように構成される。例えば、システムは、２００ｎｍ〜１０００ｎｍの波長範囲のうちの１つまたは複数にわたって光のスペクトルを収集するように構成された１つまたは複数の検出器を含み得る。さらなる他の実施形態では、対象の検出器は、１つまたは複数の特定の波長でフローストリーム内の試料からの光を測定するように構成される。例えば、システムは、４５０ｎｍ、５１８ｎｍ、５１９ｎｍ、５６１ｎｍ、５７８ｎｍ、６０５ｎｍ、６０７ｎｍ、６２５ｎｍ、６５０ｎｍ、６６０ｎｍ、６６７ｎｍ、６７０ｎｍ、６６８ｎｍ、６９５ｎｍ、７１０ｎｍ、７２３ｎｍ、７８０ｎｍ、７８５ｎｍ、６４７ｎｍ、６１７ｎｍおよびそれらの任意の組合せのうちの１つまたは複数で光を測定するように構成された１つまたは複数の検出器を含み得る。特定の実施形態では、光検出器は、蛍光分析の試料と共に使用されるもの等の特定のフルオロフォアと対になるように構成してよい。
【００５６】
実施形態では、光検出システムは、連続的にまたは離散間隔で光を測定するように構成される。ある場合には、対象の光検出器は、連続的に収集された光の測定を行うように構成される。他の例では、当該光検出システムは、離散間隔で、例えば、０．００１ミリ秒ごと、０．０１ミリ秒ごと、０．１ミリ秒ごと、１ミリ秒ごと、１０ミリ秒ごと、１００ミリ秒ごと等に光を測定するように構成され、さらに、１０００ミリ秒ごとまたは他のいくつかの間隔も含む。
【００５７】
試料からの光を測定する対象のシステムは、照射光源を備える。実施形態では、光源は、任意の適切な広帯域または狭帯域光源であってよい。試料内の成分（例えば、細胞、ビーズ、非細胞粒子等）に応じて、光源は、２００ｎｍから１５００ｎｍ、例えば、２５０ｎｍから１２５０ｎｍ、３００ｎｍから１０００ｎｍ、３５０ｎｍから９００ｎｍ等の範囲の可変波長光を放出するように構成されてよく、さらに、４００ｎｍから８００ｎｍも含む。例えば光源は、２００ｎｍから９００ｎｍの波長の光を放出する、広帯域光源を含み得る。別の場合には光源は、２００ｎｍから９００ｎｍの範囲の波長の光を放出する狭帯域光源を含む。例えば、光源は２００ｎｍから９００ｎｍの範囲の波長の光を放出する狭帯域ＬＥＤ（１ｎｍ〜２５ｎｍ）であってよい。いくつかの実施形態では、光源は連続波レーザ等のレーザである。例えば、レーザはヘリウムネオン（ＨｅＮｅ）レーザであってよい。特定の実施形態では、光源は、フローサイトメータ内のレーザである。
【００５８】
別の実施形態では、光源は、ハロゲンランプ、ジュウテリウムアークランプ、キセノンアークランプ等のランプ、広帯域連続スペクトルＬＥＤ、超高輝度発光ダイオード、半導体発光ダイオード、広域スペクトルＬＥＤ白色光源、マルチＬＥＤ統合光源等のＬＥＤ等であるが、これらに限定されない非レーザ光源である。ある場合には、非レーザ光源は、安定化ファイバ結合広帯域光源、白色光源、その他光源、あるいはそれらの任意の組合せであってよい。
【００５９】
光源は、試料（例えば、フローサイトメータ内のフローストリーム）から、任意の適切な距離、例えば、０．００１ｍｍ以上、０．００５ｍｍ以上、０．０１ｍｍ以上、０．０５ｍｍ以上、０．１ｍｍ以上、０．５ｍｍ以上、１ｍｍ以上、５ｍｍ以上、１０ｍｍ以上、２５ｍｍ以上等に配置されてよく、さらに、１００ｍｍ以上の距離も含む。さらに光源は試料を、（例えば、フローストリームの垂直軸に対して）、例えば、１０°〜９０°、１５°〜８５°、２０°〜８０°、２５°〜７５°等の任意の適切な角度で照射してよく、さらに、３０°〜６０°も含み、例えば９０°である。
【００６０】
光源は、フローセル内の試料を連続的、または離散間隔で照射するように構成されてよい。ある場合には、システムは、フローサイトメータ内の測定点において、フローストリームを連続的に照射する連続波レーザにより等、試料を連続的に照射するように構成された光源を備える。他の例では、対象のシステムは、試料を離散間隔で、例えば、０．００１ミリ秒ごと、０．０１ミリ秒ごと、０．１ミリ秒ごと、１ミリ秒ごと、１０ミリ秒ごと、１００ミリ秒ごと等に照射するように構成される光源を備え、さらに、１０００ミリ秒ごと、またはその他の間隔も含む。ここで、光源が試料を離散間隔で照射するように構成された場合、システムは、光源により試料の間欠的照射を提供するための１つまたは複数の追加のコンポーネントを備えてよい。例えば、これらの実施形態における当該システムは、光源に対して試料を遮断および曝露するための、１つまたは複数のレーザビームチョッパ、手動またはコンピュータ制御されたビームストップを備えてよい。
【００６１】
いくつかの実施形態では、システムは、フローストリーム内の試料を流すように構成されたフローセルを備える。流体試料を試料測定領域に流す、任意の適切なフローセルを利用してよい。いくつかの実施形態では、フローセルは、長軸を定義する、円筒形近位部と、長軸を横切る、開口部を持つ平坦面で終端する円錐台形先端部とを有する。円筒形近位部の長さ（長軸に沿って測定）は、１ｍｍから１５ｍｍ、例えば、１．５ｍｍから１２．５ｍｍ、２ｍｍから１０ｍｍ、３ｍｍから９ｍｍ等の範囲で変化してよく、さらに、４ｍｍから８ｍｍも含む。円錐台形先端部の長さ（長軸に沿って測定）も、１ｍｍから１０ｍｍ、例えば、２ｍｍから９ｍｍ、３ｍｍから８ｍｍ等の範囲で変化してよく、さらに、４ｍｍから７ｍｍも含む。フローセルノズルチャンバの直径は、いくつかの実施形態では、１ｍｍから１０ｍｍ、例えば、２ｍｍから９ｍｍ、３ｍｍから８ｍｍ等の範囲で変化してよく、さらに、４ｍｍから７ｍｍも含む。
【００６２】
ある特定の場合において、ある特定の場合において、フローセルは円筒形部を有さず、フローセル内部チャンバ全体が、円錐台形であってよい。これらの実施形態では、円錐台形内部チャンバの長さ（ノズル開口部を横断する長軸に沿って測定）は、１ｍｍから１５ｍｍ、例えば、１．５ｍｍから１２．５ｍｍ、２ｍｍから１０ｍｍ、３ｍｍから９ｍｍ等の範囲で変化してよく、さらに、４ｍｍから８ｍｍも含む。円錐台形内部チャンバの近位部の直径は、１ｍｍから１０ｍｍ、例えば、２ｍｍから９ｍｍ、３ｍｍから８ｍｍ等の範囲で変化してよく、さらに、４ｍｍから７ｍｍも含む。
【００６３】
いくつかの実施形態において、試料フローストリームは、フローセルの遠位端における開口部から発する。フローストリームの所望の特性によって、フローセル開口部は、対象の断面形状が、直線で構成された断面形状（例えば、正方形、長方形、台形、三角形、六角形等）、曲線の断面形状（例えば、円、楕円形）、または不規則な形状（例えば、放物線形状の底部が、平面的な上部に結合される）を含むが、これらに限定されない任意の形状であってよい。特定の実施形態では、対象のフローセルは、円形開口部を有する。ノズル開口部のサイズは、いくつかの実施形態では、１μｍから２００００μｍの範囲、例えば、２μｍから１７５００μｍ、５μｍ１５０００μｍ、１０μｍから１２５００μｍ、１５μｍから１００００μｍ、２５μｍから７５００μｍ、５０μｍから５０００μｍ、７５μｍから１０００μｍ、１００μｍから７５０μｍ等で変化してよく、さらに、１５０μｍから５００μｍも含む。特定の実施形態では、ノズル開口部は１００μｍである。
【００６４】
いくつかの実施形態では、フローセルは、フローセルに試料を提供するように構成された試料投入口を備える。実施形態において、試料投入システムは、フローセル内室に試料を適宜流すように構成されている。フローストリームの所望の特性に応じて、試料投入口によってフローセル室に運ばれる試料の率は、１μＬ／分以上、例えば、２μＬ／分以上、３μＬ／分以上、５μＬ／分以上、１０μＬ／分以上、１５μＬ／分以上、２５μＬ／分以上、５０μＬ／分以上等であってよく、さらに、１００μＬ／分以上も含み、ある場合には、試料投入口によってフローセル室に運ばれる試料の率は、１μＬ／秒以上、例えば、２μＬ／秒以上、３μＬ／秒以上、５μＬ／秒以上、１０μＬ／秒以上、１５μＬ／秒以上、２５μＬ／秒以上、５０μＬ／秒以上等であってよく、さらに、１００μＬ／秒以上も含む。
【００６５】
試料投入口は、内室の壁に配置された開口部であってよく、または内室の近位端に配置された導管であってよい。ここで、試料投入口が内室の壁に配置された開口部である場合、試料投入口開口部は、対象の断面形状が、直線で構成された断面形状（例えば、正方形、長方形、台形、三角形、六角形等）、曲線の断面形状（例えば、円、楕円形等）、または不規則な形状（例えば、放物線形状の底部が、平面的な上部に結合される）を含むが、これらに限定されない任意の形状であってよい。特定の実施形態では、試料投入口は、円形開口部を有する。試料投入口開口部のサイズは、形状によって異なってよく、ある特定の場合において、０．１ｍｍから５．０ｍｍ、例えば、０．２から３．０ｍｍ、例えば、０．５ｍｍから２．５ｍｍ、０．７５ｍｍから２．２５ｍｍ、１ｍｍから２ｍｍ等の範囲の開口を有し、さらに、１．２５ｍｍから１．７５ｍｍも含み、例えば、１．５ｍｍである。
【００６６】
ある特定の場合において、試料投入口は、フローセル内室の近位端に配置された導管である。例えば、試料投入口は、試料投入口の開口部がフローセル開口部に沿うように配置された導管であってよい。ここで、試料投入口がフローセル開口部に沿うように配置された導管である場合、試料投入管の断面形状は、対象の断面形状が、直線で構成された断面形状（例えば、正方形、長方形、台形、三角形、六角形等）、曲線の断面形状（例えば、円、楕円形）、または不規則な形状（例えば、放物線形状の底部が、平面的な上部に結合される）を含むが、これらに限定されない任意の形状であってよい。導管の開口部は形状によって異なってよく、特定の場合、０．１ｍｍから５．０ｍｍ、例えば、０．２から３．０ｍｍ、例えば、０．５ｍｍから２．５ｍｍ、０．７５ｍｍから２．２５ｍｍ、１ｍｍから２ｍｍ等の範囲の開口部を有し、さらに、１．２５ｍｍから１．７５ｍｍも含み、例えば、１．５ｍｍである。試料投入口の先端部の形状は、試料投入管の断面形状と同一であっても異なっていてよい。例えば、試料投入口の開口部は、１°から１０°、例えば、２°から９°、３°から８°、４°から７°等の範囲の傾斜角を有する傾斜した先端部を備えてよく、さらに、５°の傾斜角も含む。
【００６７】
いくつかの実施形態では、フローセルは、フローセルにシース液を提供するように構成されたシース流体投入口をさらに備える。実施形態では、シース流体投入システムが、試料フローストリームを取り囲むシース流体の積層フローストリームを生成するために、例えば試料と共に、シース流体の流れをフローセル内室に提供するように構成されている。フローストリームの所望の特性によって、フローセル室に運ばれるシース流体の率は、２５μＬ／秒以上、例えば、５０μＬ／秒以上、７５μＬ／秒以上、１００μＬ／秒以上、２５０μＬ／秒以上、５００μＬ／秒以上、７５０μＬ／秒以上、１０００μＬ／秒以上等であってよく、さらに、２５００μＬ／秒も含む。
【００６８】
いくつかの実施形態において、シース液投入口は、内室の壁に配置された開口部である。シース液投入口開口部は、対象の断面形状が、直線で構成された断面形状（例えば、正方形、長方形、台形、三角形、六角形等）、曲線の断面形状（例えば、円、楕円形）、または不規則な形状（例えば、放物線形状の底部が、平面的な上部に結合される）を含むが、これらに限定されない任意の形状であってよい。試料投入口開口部のサイズは形状によって異なってよく、ある特定の場合において、０．１ｍｍから５．０ｍｍ、例えば、０．２から３．０ｍｍ、例えば、０．５ｍｍから２．５ｍｍ、０．７５ｍｍから２．２５ｍｍ、１ｍｍから２ｍｍ等の範囲の開口部を有し、さらに１．２５ｍｍから１．７５ｍｍも含み、例えば、１．５ｍｍである。
【００６９】
特定の実施形態では、本システムは、フローストリーム内の試料から放出される光を検出するための上記光検出システムを使用したフローサイトメトリックシステムである。試料を分析するための適切なフローサイトメトリシステムおよび方法は、これらに限定されないが、Ｏｒｍｅｒｏｄ（編），Ｆｌｏｗ  Ｃｙｔｏｍｅｔｒｙ：Ａ  Ｐｒａｃｔｉｃａｌ  Ａｐｐｒｏａｃｈ，Ｏｘｆｏｒｄ  Ｕｎｉｖ．Ｐｒｅｓｓ（１９９７）、Ｊａｒｏｓｚｅｓｋｉら（編），Ｆｌｏｗ  Ｃｙｔｏｍｅｔｒｙ  Ｐｒｏｔｏｃｏｌｓ，Ｍｅｔｈｏｄｓ  ｉｎ  Ｍｏｌｅｃｕｌａｒ  Ｂｉｏｌｏｇｙ  Ｎｏ．９１，Ｈｕｍａｎａ  Ｐｒｅｓｓ（１９９７）、Ｐｒａｃｔｉｃａｌ  Ｆｌｏｗ  Ｃｙｔｏｍｅｔｒｙ，第３版，Ｗｉｌｅｙ−Ｌｉｓｓ（１９９５）、Ｖｉｒｇｏら（２０１２）Ａｎｎ  Ｃｌｉｎ  Ｂｉｏｃｈｅｍ．１月；４９（ｐｔ  １）：１７−２８、Ｌｉｎｄｅｎら，Ｓｅｍｉｎ  Ｔｈｒｏｍ  Ｈｅｍｏｓｔ．２００４年１０月；３０（５）：５０２−１１、Ａｌｉｓｏｎら，Ｊ  Ｐａｔｈｏｌ，２０１０年１２月；２２２（４）：３３５−３４４、およびＨｅｒｂｉｇら（２００７）Ｃｒｉｔ  Ｒｅｖ  Ｔｈｅｒ  Ｄｒｕｇ  Ｃａｒｒｉｅｒ  Ｓｙｓｔ．２４（３）：２０３−２５５（これらの開示内容は、参照により本明細書に組み込まれる）で説明されているものを含む。ある特定の場合において、対象のフローサイトメトリシステムは、ＢＤ  Ｂｉｏｓｃｉｅｎｃｅｓ  ＦＡＣＳＣａｎｔｏ（商標）フローサイトメータ、ＢＤ  Ｂｉｏｓｃｉｅｎｃｅｓ  ＦＡＣＳＶａｎｔａｇｅ（商標）、ＢＤ  Ｂｉｏｓｃｉｅｎｃｅｓ  ＦＡＣＳｏｒｔ（商標）、ＢＤ  Ｂｉｏｓｃｉｅｎｃｅｓ  ＦＡＣＳＣｏｕｎｔ（商標）、ＢＤ  Ｂｉｏｓｃｉｅｎｃｅｓ  ＦＡＣＳｃａｎ（商標）、及びＢＤ  Ｂｉｏｓｃｉｅｎｃｅｓ  ＦＡＣＳＣａｌｉｂｕｒ（商標）システム、ＢＤ  Ｂｉｏｓｃｉｅｎｃｅｓ  Ｉｎｆｌｕｘ（商標）セルソータ、ＢＤ  Ｂｉｏｓｃｉｅｎｃｅｓ  Ａｒｉａ（商標）セルソータ等を含む。
【００７０】
特定の実施形態では、本システムは、米国特許第３，９６０，４４９号、第４，３４７，９３５号、第４，６６７，８３０号、第４，７０４，８９１号、第４，７７０，９９２号、第５，０３０，００２号、第５，０４０，８９０号、第５，０４７，３２１号、第５，２４５，３１８号、第５，３１７，１６２号、第５，４６４，５８１号、第５，４８３，４６９号、第５，６０２，０３９号、第５，６２０，８４２号、第５，６２７，０４０号、第５，６４３，７９６号、第５，７００，６９２号、第６，３７２，５０６号、第６，８０９，８０４号、第６，８１３，０１７号、第６，８２１，７４０号、第７，１２９，５０５号、第７，２０１，８７５号、第７，５４４，３２６号、第８，１４０，３００号、第８，２３３，１４６号、第８，７５３，５７３号、第８，９７５，５９５号、第９，０９２，０３４号、第９，０９５，４９４号、および第９，０９７，６４０号（これらの開示内容は、参照により本明細書に組み込まれる）に記載されたフローサイトメータのうちの１つまたは複数のコンポーネントを組み込んだフローサイトメータシステムである。
【００７１】
いくつかの実施形態では、光学調整コンポーネント（例えば、デジタルマイクロミラーデバイス）と、検出器（例えば、光検出器アレイ）との内の１つまたは複数が、コンピュータ制御されてよい。これにより、調節される（例えば、有効化、無効化、傾斜、回転等）マイクロミラーのサブセットまたは光検出器が、完全にまたは部分的に自動化されるように構成されてよい。いくつかの実施形態では、本システムは、コンピュータプログラムが記憶されたコンピュータ可読記憶媒体を有するコンピュータを備え、コンピュータプログラムは、コンピュータにロードされた時点で、デジタルマイクロミラーデバイスの活性面上の１つまたは複数のマイクロミラーを調節（例えば、傾斜、回転、電流印加等による無効化）のための指示を含む。別の実施形態では、本システムは、コンピュータプログラムが記憶されたコンピュータ可読記憶媒体を有するコンピュータを備え、コンピュータプログラムは、コンピュータに展開された時点で、光検出器アレイ内の１つまたは複数の光検出器を（部分的または完全に）有効化または無効化するための指示を含む。
【００７２】
本システムは、ハードウェアコンポーネントとソフトウェアコンポーネントとの両方を含み得、ハードウェアコンポーネントは、１つまたは複数のプラットフォームの形態（例えば、サーバの形態）を取ることができ、その結果、機能要素、即ち、システムの特定のタスク（情報の入力および出力の管理、情報の処理等）を行うシステムのそれらの要素は、システムを表す１つまたは複数のコンピュータプラットフォーム上および１つまたは複数のコンピュータプラットフォームにわたってソフトウェアアプリケーションを実行することによって実施することができる。
【００７３】
システムは、ディスプレイ及びオペレータ入力装置を備えてよい。オペレータ入力装置は、例えば、キーボード、マウスなどであってよい。処理モジュールは、デジタルマイクロミラーデバイスの活性面上の１つまたは複数のマイクロミラーを調節（例えば、傾斜、回転、電流印加等による無効化）のため、または光検出器アレイ内の１つまたは複数の光検出器を（部分的または完全に）有効化または無効化するための指示が記憶されたメモリにアクセス可能なプロセッサを備える。
【００７４】
処理モジュールは、オペレーティングシステム、グラフィカルユーザインタフェース（ＧＵＩ）コントローラ、システムメモリ、メモリ記憶デバイス、入出力コントローラ、キャッシュメモリ、データバックアップユニット、および多くの他のデバイスを備えてよい。プロセッサは、市販のプロセッサであってよく、あるいは現在または今後入手可能な他のプロセッサの１つであってよい。プロセッサは、オペレーティングシステムを実行し、オペレーティングシステムは、周知のようにファームウェアとハードウェアとのインタフェースをとり、様々なプログラミング言語、例えば、当技術分野で公知のＪａｖａ（登録商標）、Ｐｅｒｌ、Ｃ＋＋、他の高水準言語または低水準言語、さらにはそれらの組合せで記述され得る種々のコンピュータプログラムの機能を連携および実行するプロセッサを支援する。オペレーティングシステムは、典型的には、プロセッサと協同してコンピュータの他のコンポーネントの機能の連携および実行を行う。オペレーティングシステムはまた、すべて公知の技術に従って、スケジュール管理、入出力制御、ファイルおよびデータ管理、メモリ管理、ならびに通信制御および関連サービスを提供する。
【００７５】
システムメモリは、様々な公知のまたは将来的なメモリ記憶デバイスのいずれであってよい。例としては、任意の一般に入手可能なランダムアクセスメモリ（ＲＡＭ）、磁気媒体、例えば、常駐ハードディスクまたはテープ、光学媒体、例えば、読取りおよび書込みコンパクトディスク、フラッシュメモリデバイス、または他のメモリ記憶デバイスが挙げられる。メモリ記憶デバイスは、コンパクトディスクドライブ、テープドライブ、リムーバブルハードディスクドライブ、またはディスケットドライブをはじめとする様々な公知のまたは将来的なデバイスのいずれであってよい。かかる種類のメモリ記憶デバイスは、典型的には、プログラム記憶媒体（図示せず）、例えば、それぞれ、コンパクトディスク、磁気テープ、リムーバブルハードディスク、またはフロッピー（登録商標）ディスケットからの読取りおよび／またはそれらへの書込みを行う。これらのプログラム記憶媒体または現在使用されている、または今後開発され得る他のものはいずれも、コンピュータプログラム製品とみなされ得る。これらのプログラム記憶媒体は、典型的には、コンピュータソフトウェアプログラムおよび／またはデータを記憶することが理解されよう。コンピュータソフトウェアプログラムは、コンピュータ制御ロジックとも呼ばれ、典型的には、メモリ記憶デバイスと組み合わせて使用されるシステムメモリおよび／またはプログラム記憶デバイスに記憶される。
【００７６】
いくつかの実施形態では、コンピュータプログラム製品は、記憶された制御ロジック（プログラムコードを含むコンピュータソフトウェアプログラム）を有するコンピュータ利用可能媒体を含めて記載される。制御ロジックは、プロセッサまたはコンピュータにより実行される場合、本明細書に記載の機能を行うようにプロセッサに命令する。他の実施形態では、いくつかの機能は、例えばハードウェアステートマシンを用いて、主にハードウェアで実行される。本明細書に記載の機能を行うためのハードウェアステートマシンの実行は、関連技術分野の当業者に明らかであろう。
【００７７】
メモリは、プロセッサによるデータの記憶および取出しが可能な任意の好適なデバイス、例えば、磁気デバイス、光学デバイス、または固体記憶デバイス（例えば、磁気もしくは光学のディスクもしくはテープもしくはＲＡＭ、または任意の他の好適な固定型もしくは携帯型のデバイス）であり得る。プロセッサは、必要なプログラムコードを保有するコンピュータ可読媒体から好適にプログラムされる汎用ディジタルマイクロプロセッサを含み得る。プログラミングは、通信チャネルを介して遠隔でプロセッサに提供可能であるか、またはメモリに接続されたデバイスのいずれかを用いてメモリまたは何らかの他の携帯型もしくは固定型のコンピュータ可読記憶媒体等のコンピュータプログラム製品にあらかじめ保存可能である。例えば、磁気または光学ディスクは、プログラミングを保有し得るとともに、ディスクライター／リーダーにより読取り可能である。本発明に係るシステムはまた、プログラミング、例えば、上述の本方法の実施に使用されるアルゴリズムをコンピュータプログラム製品の形態で含む。本発明に係るプログラミングは、コンピュータ可読媒体、例えば、コンピュータによる読取りおよび直接アクセスが可能な任意の媒体に記録され得る。かかる媒体としては、磁気記憶媒体、例えば、フロッピーディスク（登録商標）、ハードディスク記憶媒体、および磁気テープ、光記憶媒体、例えば、ＣＤ−ＲＯＭ、電気記憶媒体、例えば、ＲＡＭおよびＲＯＭ、ポータブルフラッシュドライブ、およびこれらのカテゴリーのハイブリッド、例えば、磁気／光学記憶媒体が挙げられるが、これらに限定されるものではない。
【００７８】
プロセッサはまた、遠隔地のユーザと通信するために通信チャネルを利用し得る。遠隔地とは、ユーザがシステムに直接触れることなく、広域ネットワーク（「ＷＡＮ」）、電話回線網、衛星ネットワーク、または任意の他の好適な通信チャネル、たとえば携帯電話（すなわちスマートフォン）に接続されたコンピュータ等の外部デバイスから入力情報を入力マネージャーに中継することを意味する。
【００７９】
いくつかの実施形態では、本開示に係るシステムは、通信インタフェースを備えるように構成され得る。いくつかの実施形態では、通信インタフェースは、ネットワークおよび／または他のデバイスと通信するためのレシーバおよび／またはトランスミッタを含む。通信インタフェースは、有線または無線の通信用として、例えば、限定されるものではないが、無線周波数（ＲＦ）通信（例えば、無線周波数識別（ＲＦＩＤ）、Ｚｉｇｂｅｅ（登録商標）通信プロトコル、ＷｉＦｉ、赤外線、無線ユニバーサルシリアルバス（ＵＳＢ）、ウルトラワイドバンド（ＵＷＢ）、Ｂｌｕｅｔｏｏｔｈ（登録商標）通信プロトコルおよびセルラー通信、例えば、符号分割多重アクセス（ＣＤＭＡ）またはモバイル通信グローバルシステム（ＧＳＭ（登録商標））（登録商標）用として構成可能である。
【００８０】
一実施形態では、通信インタフェースは、当該システムと、類似の補完的データ通信用として構成されたコンピュータ端末等の他の外部デバイス（例えば、診療所または病院環境）とのデータ通信を可能にするように、１つまたは複数の通信ポート、例えば、物理的ポートまたはインタフェース、例えば、ＵＳＢポート、ＲＳ−２３２ポート、または任意の他の好適な電気接続ポートを含むように構成される。
【００８１】
一実施形態では、通信インタフェースは、当該システムと、他のデバイス、たとえば、コンピュータ端末および／またはネットワーク、通信可能携帯電話、パーソナルディジタルアシスタント、またはＨＩＶ、ＡＩＤＳ、貧血等の健康状態の治療を管理でユーザが組み合わせて使用し得る任意の他の通信デバイスとが通信可能になるように、赤外線通信、Ｂｌｕｅｔｏｏｔｈ（登録商標）通信、または任意の他の好適な無線通信プロトコル用として構成される。
【００８２】
一実施形態では、通信インタフェースは、携帯電話ネットワーク、ショートメッセージサービス（ＳＭＳ）、インターネットに接続されたローカルエリアネットワーク（ＬＡＮ）上のパーソナルコンピュータ（ＰＣ）への無線接続、またはＷｉＦｉホットスポットでインターネットへのＷｉＦｉ接続を介して、インターネットプロトコル（ＩＰ）を利用してデータ転送するための接続を提供するように構成される。
【００８３】
一実施形態では、本システムは、通信インタフェースを介して、例えば、８０２．１１またはＢｌｕｅｔｏｏｔｈ（登録商標）ＲＦプロトコルまたはＩｒＤＡ赤外プロトコル等の共通規格を用いて、サーバデバイスと無線通信するように構成される。サーバデバイスは、他のポータブルデバイス、例えば、スマートフォン、パーソナルディジタルアシスタント（ＰＤＡ）、もしくはノートブックコンピュータ、またはより大型のデバイス、例えば、デスクトップコンピュータ、機器等であり得る。いくつかの実施形態では、サーバデバイスは、ディスプレイ、例えば、液晶ディスプレイ（ＬＣＤ）、さらには、入力デバイス、例えば、ボタン、キーボード、マウス、またはタッチスクリーンを有する。
【００８４】
いくつかの実施形態では、通信インタフェースは、上述の通信プロトコルおよび／または機構のうちの１つまたは複数を用いて、本システム、例えば、任意選択のデータ記憶ユニットに記憶されたデータを、ネットワークまたはサーバデバイスと自動または半自動で通信するように構成される。
【００８５】
出力コントローラは、人間または機械にかかわらず、ローカルまたはリモートにかかわらず、ユーザに情報を提示するために、様々な公知の表示デバイスのいずれかに対するコントローラを含み得る。表示デバイスの１つが視覚情報を提供する場合、この情報は、典型的には、画素のアレイとして論理的および／または物理的に組織化され得る。グラフィカルユーザインタフェース（ＧＵＩ）コントローラは、システムとユーザとの間のグラフィカル入出力インタフェースを提供するために、およびユーザ入力を処理するために、様々な公知のまたは将来的なソフトウェアプログラムのいずれかを含み得る。コンピュータの機能エレメントは、システムバスを介して互いに通信し得る。これらの通信のいくつかは、ネットワークまたは他の種類の遠隔通信を用いて、代替的実施形態で達成され得る。出力マネージャーはまた、公知の技術に従って、例えば、インターネット、電話、または衛星ネットワークを用いて、処理モジュールにより生成された情報を遠隔地のユーザに提供し得る。出力マネージャーによるデータの提示は、様々な公知の技術に従って実行され得る。いくつかの例として、データは、ＳＱＬ、ＨＴＭＬ、ＸＭＬ文書、電子メールもしくは他のファイル、または他の形態のデータを含み得る。ユーザが遠隔供給元から追加のＳＱＬ、ＨＴＭＬ、ＸＭＬ、または他の文書またはデータを取り出し得るように、データはインターネットＵＲＬアドレスを含み得る。当該システムに存在する１つまたは複数のプラットフォームは、任意の種類の公知のコンピュータプラットフォームまたは将来開発される種類のものであり得るが、それらは、典型的には、一般にサーバと呼ばれるクラスのコンピュータであろう。しかしながら、それらはまた、メインフレームコンピュータ、ワークステーション、または他のコンピュータの種類であり得る。それらは、ネットワークまたは他の形で接続された無線システムを含めて任意の公知のまたは将来的なタイプのケーブルまたは他の通信システムを介して接続され得る。それらは同位置であっても物理的に離されていてよい。選択されるコンピュータプラットフォームの種類および／またはメーカーにおそらく依存して、種々のオペレーティングシステムがコンピュータプラットフォームのいずれかで利用され得る。適切なオペレーティングシステムとしては、Ｗｉｎｄｏｗｓ（登録商標）ＮＴ、Ｗｉｎｄｏｗｓ  ＸＰ、Ｗｉｎｄｏｗｓ  ７、Ｗｉｎｄｏｗｓ  ８、ｉＯＳ、Ｓｕｎ  Ｓｏｌａｒｉｓ、Ｌｉｎｕｘ（登録商標）、ＯＳ／４００、Ｃｏｍｐａｑ  Ｔｒｕ６４  Ｕｎｉｘ（登録商標）、ＳＧＩ  ＩＲＩＸ、Ｓｉｅｍｅｎｓ  Ｒｅｌｉａｎｔ  Ｕｎｉｘ等が挙げられる。
［照射された試料からの光を別個に検出する方法］
【００８６】
本開示の態様はさらに、（例えば、フローサイトメータ内のフローストリーム内の）試料からの光を別個に検出する方法も含む。実施形態の方法の実施において、試料を光源により照射し、上述の光検出システムにより試料からの光を検出する。いくつかの実施形態では、試料は生体試料である。「生体試料」という用語は、全生物、植物、菌類、または、ある特定の場合において、血液、粘液、リンパ液、滑液、脳脊髄液、唾液、気管支肺胞洗浄液、羊水、羊膜帯血液、尿、膣液および精液中に見られる動物の組織、細胞もしくは構成要素のサブセットを指すために従前の意味で使用される。したがって、「生体試料」は、自然の生物またはその組織のサブセットと、生物またはその組織のサブセットから準備されたホモジネート、溶解物または抽出成分との両方を指し、例えば、血漿、血清、髄液、リンパ液、皮膚の一部、気道、胃腸管、心臓血管および尿生殖路、涙、唾液、乳、血液細胞、腫瘍、臓器を含むが、これらに限定されない。生体試料は、任意の種類の生物組織でもあってよく、健常組織と病変組織（例えば、癌性、悪性、壊死性のもの等）との両方を含む。特定の実施形態では、生体試料は、血液またはその派生物（例えば、血漿、涙、尿、精液等）等の液体試料であり、ある場合には、試料は、静脈穿刺または指先穿刺から得られた血液などの血液全体を含む血液試料である（血液は、分析前に、防腐剤や抗凝血剤などの試薬と組み合わせても、組み合わせなくともよい）。
【００８７】
特定の実施形態では、試料の調達源は、「哺乳動物（ｍａｍｍａｌ）」または「哺乳類（ｍａｍｍａｌｉａｎ）」であり、これらの用語は、食肉目（ｏｒｄｅｒ  ｃａｒｎｉｖｏｒｅ）（例えば、犬および猫）、齧歯目（ｏｒｄｅｒ  ｒｏｄｅｎｔｉａ）（例えば、マウス、モルモット、およびラット）、およびサル目（ｏｒｄｅｒ  ｐｒｉｍａｔｅｓ）（例えば、ヒト、チンパンジー、およびサル）を含む、哺乳綱（ｃｌａｓｓ  ｍａｍｍａｌｉａ）内の生物について説明するために幅広く使用される。ある場合には、被検者はヒトである。方法は、両方の性別および任意の発育段階（即ち、新生児、乳幼児、小児、青年、成人）のヒトの被検者から得られた試料に適用されてよく、特定の実施形態では、ヒトの被検者は、小児、青年または成人である。本発明はヒトの被検者からの試料に適用されてよく、方法は、鳥、マウス、ラット、犬、猫、家畜、および馬等を含むが、これらに限定されない他の動物対象（すなわち、「ヒト以外の対象」）からの試料に対しても実行できることを理解されたい。
【００８８】
当該方法は、（例えばフローサイトメータのフローストリーム内の）試料を光源からの光で照射することで実施される。いくつかの実施形態では、光源は、例えば、５０ｎｍ以上に及ぶもの、例えば、１００ｎｍ以上、１５０ｎｍ以上、２００ｎｍ以上、２５０ｎｍ以上、３００ｎｍ以上、３５０ｎｍ以上、４００ｎｍ以上等の広範囲の波長を有する光を放出する広帯域光源であり、さらに、５００ｎｍ以上に及ぶものも含む。例えば、ある適切な広帯域光源は、２００ｎｍから１５００ｎｍの波長を有する光を放射する。適切な広帯域光源の別の例は、４００ｎｍから１０００ｎｍの波長を有する光を放射する光源を含む。方法が広帯域光源によって照射することを含む場合、対象の広帯域光源プロトコルは、これらに限定されないが、他の広帯域光源の中で特に、ハロゲンランプ、ジュウテリウムアークランプ、キセノンアークランプ、安定化ファイバ結合広帯域光源、連続スペクトルを有する広帯域ＬＥＤ、スーパールミネセンス発光ダイオード、半導体発光ダイオード、広スペクトルＬＥＤ白色光源、複数のＬＥＤが統合された白色光源、またはそれらの任意の組合せを含み得る。
【００８９】
他の実施形態では、方法は、例えば、５０ｎｍ以下のような狭範囲の波長の光を放射する光源（例えば、４０ｎｍ以下、３０ｎｍ以下、２５ｎｍ以下、２０ｎｍ以下、１５ｎｍ以下、１０ｎｍ以下、５ｎｍ以下、２ｎｍ以下等、特定の波長の光（即ち、単色光）を放射する光源を含む）によって等、特定の波長または狭範囲の波長を放射する狭帯域光源によって照射することを含む。方法が狭帯域光源によって照射することを含む場合、対象の狭帯域光源プロトコルは、これらに限定されないが、１つもしくは複数の光学バンドパスフィルタ、回折格子、もしくはモノクロメータと結合された、狭範囲の波長のＬＥＤ、レーザダイオード、もしくは広帯域光源、または、それらの任意の組合せを含み得る。
【００９０】
特定の実施形態では、方法は、１つまたは複数のレーザによって試料に照射することを含む。上記で論じられるように、レーザの種類および数は、試料および収集される所望の光に応じて異なり、ヘリウムネオンレーザ、アルゴンレーザ、クリプトンレーザ、キセノンレーザ、窒素レーザ、ＣＯ２レーザ、ＣＯレーザ、アルゴンフッ素（ＡｒＦ）エキシマレーザ、クリプトンフッ素（ＫｒＦ）エキシマレーザ、キセノン塩素（ＸｅＣｌ）エキシマレーザ、キセノンフッ素（ＸｅＦ）エキシマレーザ、またはそれらの組合せ等のガスレーザであり得る。他の例では、方法は、スチルビン、クマリン、またはローダミンレーザ等の色素レーザによってフローストリームに照射することを含む。さらなる他の例では、方法は、ヘリウムカドミウム（ＨｅＣｄ）レーザ、ヘリウム水銀（ＨｅＨｇ）レーザ、ヘリウムセレニウム（ＨｅＳｅ）レーザ、ヘリウム銀（ＨｅＡｇ）レーザ、ストロンチウムレーザ、ネオン銅（ＮｅＣｕ）レーザ、銅レーザ、金レーザ、およびそれらの組合せ等の金属蒸気レーザによってフローセル内の試料に照射することを含む。さらに他の例では、方法は、ルビーレーザ、Ｎｄ：ＹＡＧレーザ、ＮｄＣｒＹＡＧレーザ、Ｅｒ：ＹＡＧレーザ、Ｎｄ：ＹＬＦレーザ、Ｎｄ：ＹＶＯ４レーザ、Ｎｄ：ＹＣａ４Ｏ（ＢＯ３）３レーザ、Ｎｄ：ＹＣＯＢレーザ、チタニウムサファイアレーザ、ツリウムＹＡＧレーザ、イッテルビウムＹＡＧレーザ、イッテルビウムＹｂ２Ｏ３レーザ、またはセリウムドープレーザ、およびそれらの組合せ等の固体レーザによってフローストリームに照射することを含む。
【００９１】
試料は、上記で述べられる光源のうちの１つまたは複数、例えば、２つ以上の光源、３つ以上の光源、４つ以上の光源、５つ以上の光源等によって照射されてよく、さらに、１０以上の光源も含む。光源は、光源の種類の任意の組合せを含み得る。例えば、いくつかの実施形態では、方法は、１つまたは複数のガスレーザ、１つまたは複数の色素レーザ、および１つまたは複数の固体レーザを有するアレイなど、レーザのアレイによってフローストリーム内の試料に照射することを含む。
【００９２】
試料は、２００ｎｍから１５００ｎｍ、例えば、２５０ｎｍから１２５０ｎｍ、３００ｎｍから１０００ｎｍ、３５０ｎｍから９００ｎｍ等の範囲の波長で照射されてよく、さらに、４００ｎｍから８００ｎｍも含む。例えば、光源が広帯域光源である場合、試料は、２００ｎｍから９００ｎｍの波長で照射されてよい。他の例では、光源が複数の狭帯域光源を含む場合、試料は、２００ｎｍから９００ｎｍの範囲の特定の波長で照射されてよい。例えば、光源は、複数の狭帯域ＬＥＤ（１ｎｍから２５ｎｍ）であってよく、各々が２００ｎｍから９００ｎｍの波長の範囲を有する光を独立して放出する。他の実施形態では、狭帯域光源は、１つまたは複数のレーザ（レーザアレイ等）を含み、試料は、上述のガスレーザ、エキシマレーザ、色素レーザ、金属蒸気レーザ、および固体レーザを有するレーザアレイによって等、２００ｎｍから７００ｎｍの範囲の特定の波長で照射される。
【００９３】
２つ以上の光源が使用される場合、試料は、光源によって同時に、順番に、またはそれらの組合せで照射されてよい。例えば、試料は、両方の光源によって同時に照射されてよい。他の実施形態では、フローストリームは、両方の光源によって順番に照射される。試料を順番に照射するため２つ以上の光源が使用される場合、各光源が試料に照射する時間は、独立して、０．００１マイクロ秒以上、例えば、０．０１マイクロ秒以上、０．１マイクロ秒以上、１マイクロ秒以上、５マイクロ秒以上、１０マイクロ秒以上、３０マイクロ秒以上等であってよく、さらに、６０マイクロ秒以上も含む。例えば、方法は、０．００１マイクロ秒から１００マイクロ秒、例えば、０．０１マイクロ秒から７５マイクロ秒、０．１マイクロ秒から５０マイクロ秒、１マイクロ秒から２５マイクロ秒等の間、光源（例えば、レーザ）によって試料に照射することを含んでよく、さらに、５マイクロ秒から１０マイクロ秒も含む。試料が２つ以上の光源によって順番に照射される実施形態では、各光源によって試料が照射される時間は、同じであっても、異なっていてよい。
【００９４】
また、各光源による照射間の時間は所望のとおり異なっていてよく、独立して、０．００１マイクロ秒以上、例えば、０．０１マイクロ秒以上、０．１マイクロ秒以上、１マイクロ秒以上、５マイクロ秒以上、１０マイクロ秒以上、１５マイクロ秒以上、３０マイクロ秒以上等の遅延によって隔てられてよく、さらに、６０マイクロ秒以上も含む。例えば、各光源に照射間の時間は、０．００１マイクロ秒から６０マイクロ秒、例えば、０．０１マイクロ秒から５０マイクロ秒、０．１マイクロ秒から３５マイクロ秒、１マイクロ秒から２５マイクロ秒等であってよく、さらに、５マイクロ秒から１０マイクロ秒も含む。特定の実施形態では、各光源による照射間の時間は、１０マイクロ秒である。試料が順番に２つを超える（即ち、３つ以上の）光源によって照射される実施形態では、各光源による照射間の遅延は、同じであっても、異なっていてよい。
【００９５】
試料は、連続的にまたは離散間隔で照射されてよい。ある場合には、方法は、光源によって連続的に試料中の試料に照射することを含む。別の場合には、試料は、光源により、例えば、０．００１ミリ秒ごと、０．０１ミリ秒ごと、０．１ミリ秒ごと、１ミリ秒ごと、１０ミリ秒ごと、１００ミリ秒ごと等の離散間隔で照射され、さらに、１０００ミリ秒ごと、または他のいくつかの間隔も含む。
【００９６】
光源に応じて、試料は、０．０１ｍｍ以上、例えば、０．０５ｍｍ以上、０．１ｍｍ以上、０．５ｍｍ以上、１ｍｍ以上、２．５ｍｍ以上、５ｍｍ以上、１０ｍｍ以上、１５ｍｍ以上、２５ｍｍ以上等の異なる距離から照射されてよく、さらに、５０ｍｍ以上も含む。また、照射角度も、１０°から９０°、例えば、１５°から８５°、２０°から８０°、２５°から７５°等の範囲で異なってよく、さらに、３０°から６０°も含み、例えば、９０°の角度である。
【００９７】
上述のように、実施形態において、照射された試料からの光は、本明細書に記載のように光検出システムに運ばれ、１つまたは複数の光検出器により測定される。ある特定の実施形態に係る本方法の実施において、フローセル内の試料から光を光学調整コンポーネントに伝播する。特定の実施形態では、光学調整コンポーネントは、光の光路、方向、集光またはコリメート等、１つまたは複数の光の特性を光学的に変化するために利用される。光学調整コンポーネントは、非限定的に、レンズ（例えば、集光、対物、拡大等）、コリメータ、ミラー（例えば、ダイクロイックミラー）、スリット、ピンホール、フィルタ（例えば、バンドパス、干渉）、回折格子、モノクロメータや、その他種類の光学調整コンポーネントを含み得る。いくつかの実施形態では、試料から発する光は、テーパ形状の溶融光ファイバコンポーネント等の、溶融光ファイバコンポーネントに伝播される。いくつかの実施形態において、溶融光ファイバコンポーネントは、溶融光ファイバ束と検出器表面との間のゲル等の光伝導材料により、検出器に結合される。
【００９８】
いくつかの実施形態において、方法は、複数のマイクロミラーがデジタルマイクロミラーデバイス活性面上に設けられた、デジタルマイクロミラーデバイス等の、光マイクロマシン（ＭＯＥＭＳ）に、試料からの光を伝播することを含む。いくつかの実施形態において、照射された試料からの光を別個に検出するため、方法はさらに、複数のマイクロミラーのうちの１つまたは複数を、マイクロミラーの傾斜、回転、または無効化により調節することを含む。調節されたミラーの反射率が、１％以上、例えば、２％以上、３％以上、５％以上、１０％以上、１５％以上、２５％以上、５０％以上、７５％以上、９０％以上、９５％以上、９７％以上、９９％以上等低減され、さらに、マイクロミラーの反射率が１００％低減されることも含むように、マイクロミラーが調節されてよい。
【００９９】
これら実施形態において、デジタルマイクロミラーデバイスのマイクロミラーのサブセットが調節されてよい。本方法の実施において、調節されるマイクロミラーの数は、デジタルマイクロミラーデバイスのサイズおよび遮られることが望まれる光の量に応じて可変であり、１０個以上、２５個以上、５０個以上、１００個以上、２５０個以上、５００個以上、１０００個以上、２５００個以上等であってよく、さらに、５０００個以上も含む。上述したように、フローセル内の試料からの光を別個に検出するために調節されるマイクロミラーのサブセットは、デジタルマイクロミラーデバイスの活性面上のマイクロミラーの総数に対して、５％から７５％、例えば、１０％から７０％、１５％から６５％、２０％から６０％等であってよく、さらに、デジタルマイクロミラーデバイスの活性面上のマイクロミラーの総数に対して２５％から５０％も含む。調節されるマイクロミラーのサブセットは、デジタルマイクロミラーデバイス活性面上で、例えば直線で構成されたパターン（例えば、正方形、長方形、台形、三角形、六角形等）、曲線パターン（例えば、円、楕円形）、または非対称パターン、不規則なパターン（例えば、放物線形状の底部が、平面的な上部に結合される）等の、１つまたは複数の所定のパターンの形態をとってよい。他の実施形態において、方法は、試料からの光を別個に検出するため、デジタルマイクロミラーデバイスにわたった１つまたは複数のマイクロミラーの列を調節することを含む。
【０１００】
いくつかの実施形態において、マイクロミラーのサブセットを調節するため、方法は各マイクロミラーを傾斜して、ミラーの所望の反射率を低減することを含む。各マイクロミラーは、デジタルマイクロミラーデバイスの表面に対して、５°から１５°、例えば、６°から１４°、７°から１３°等傾斜されてよく、さらに、デジタルマイクロミラーデバイスの表面に対して８°から１２°傾斜されることも含む。別の実施形態では、方法はマイクロミラーのサブセットを、当該ミラーのサブセットによる所望の反射率を低減するために回転させることを含む。各マイクロミラーは、５°から１５°、例えば、６°から１４°、７°から１３°等回転されてよく、さらに、８°から１２°回転されることも含む。さらに別の実施形態では、方法は、デジタルマイクロミラーデバイス上のマイクロミラーのサブセットを無効化（電気的に無効化）することを含む。マイクロミラーのサブセットの無効化のために、マイクロミラーの反射率を低減するかなくするのに十分な電流をマイクロミラーのサブセットに印加する等、任意の適切なプロトコルを用いてよい。例えば、印加する電流は、マイクロミラーのサブセットの反射率を、５０％以上、例えば、７５％以上、９０％以上、９５％以上、９７％以上、９９％以上等低減するのに十分であってよく、さらに、マイクロミラーのサブセットの反射率を１００％低減することも含む。
【０１０１】
特定の実施形態では、方法は、異なる複数の種類の細胞を有する試料等の試料内の、異なる粒子からの光を区別するようにデジタルマイクロミラーデバイスの活性面上のマイクロミラーのサブセットを調節することを含む。ある場合には、方法は、試料内の不要な細胞集団、細胞片、不純物または非細胞成分からの散乱光等の、試料の不要な成分からの光を遮るように、マイクロミラーのサブセットを傾斜、回転、または無効化することを含む。例えば、具体的に試料内の２つの異なる細胞集団を特徴付けることが望まれる場合、方法は、デジタルマイクロミラーデバイスのうち、試料内の不要な細胞集団からの光に対応するマイクロミラーを調節（例えば、傾斜、回転、または無効化）し、デジタルマイクロミラーデバイスのマイクロミラーの内、所望の細胞集団からの光に対応するマイクロミラーを有効に維持することを含む。方法は、複数の異なる細胞集団を有する試料内において、１個以上の異なる細胞集団（例えば、２個以上の異なる細胞集団、３個以上、４個以上、５個以上、６個以上、７個以上等、さらに、複数の異なる細胞集団を有する試料内の１０個以上の異なる細胞集団も含む）を特徴付けることを含んでよい。
【０１０２】
別の実施形態では、方法は、不要の光（例えば、入射照射光）を検出器表面に伝播しないように遮るため、デジタルマイクロミラーデバイス上のマイクロミラーのサブセットを調節することを含む。例えば、デジタルマイクロミラー表面にわたった１つまたは複数の列あるいは所定のパターンまたは形状の形態で、光を遮るように、マイクロミラーのサブセットが傾斜、回転、または無効化されてよい。
【０１０３】
本方法の実施において、デジタルマイクロミラーデバイスの活性面上のマイクロミラーのサブセットは、マイクロミラーの内の１つまたは複数が、例えば、０．００１μｓ以上、例えば、０．０１μｓ以上、０．１μｓ以上、０．５μｓ以上、１μｓ以上、５μｓ以上、１０μｓ以上、２５μｓ以上、５０μｓ以上、１００μｓ以上、５００μｓ以上等の所望の期間、傾斜、回転、または無効化されるように動的に調節され、さらに、１０００μｓ以上も含む。特定の実施形態では、デジタルマイクロミラーデバイスの活性面上のマイクロミラーのサブセットは長時間の間、例えば、１秒以上、５秒以上、１０秒以上、１５秒以上、３０秒以上、６０秒以上、１２０秒以上、２４０秒以上、３６０秒以上、４８０秒以上の間、動的に調節され、さらに、６００秒以上も含む。ある特定の場合において、方法は、マイクロミラーのサブセットを、フローセル内の試料が光源によって照射される期間全体で動的に調節することを含む。
【０１０４】
いくつかの実施形態において、方法は、光検出器アレイにより、試料からの光を別個に検出することを含む。上述のように、光検出器アレイは、４個以上の光検出器、例えば、１０個以上の光検出器、２５個以上の光検出器、５０個以上の光検出器、１００個以上の光検出器、２５０個以上の光検出器、５００個以上の光検出器、７５０個以上の光検出器等の複数の光検出器を含んでよく、さらに、１０００個以上の光検出器も含む。光検出器アレイにより別個に光を検出するため、光検出器アレイの異なる領域が異なる光検出を行うように構成されるように、光検出器のサブセットが無効化されてよい（例えば、可逆的または不可逆的に）。方法は、サブセット内の複数の光検出器のうちの１つまたは複数を完全に無効化することを含んでよい。別の実施形態では、方法はサブセット内の複数の光検出器のうちの１つまたは複数を部分的に無効化することを含んでよい。例えば、方法は、アレイの特定領域の光検出器が低減した光量を検出するように構成されるように、複数の光検出器のうちの１つまたは複数を部分的にまたは完全に無効化することを含んでよい。即ち、光検出器が、特定領域の当該光検出器の表面にあたる光の９５％以下、例えば、９０％以下、８５％以下、７５％以下、５０％以下、２５％以下、１０％以下、５％以下、３％以下、１％以下等を検出し、さらに、特定の領域の光検出器の表面に当たる光の０．１％以下も含む。アレイ内の光検出器の数に応じて、方法は、光検出器アレイ内の光検出器の５％以上、例えば、１０％以上、２５％以上、５０％以上、７５％以上等を無効化することを含んでよく、さらに、光検出器アレイ内の光検出器の９０％以上を無効化することも含む。無効化される光検出器は、光検出器アレイ内で、例えば直線で構成されたパターン（例えば、正方形、長方形、台形、三角形、六角形等）、曲線パターン（例えば、円、楕円形）、または非対称パターン、不規則なパターン（例えば、放物線形状の底部が、平面的な上部に結合される）等、１つまたは複数の所定のパターンの形態をとってよい。別の実施形態では、方法は、光検出器アレイにわたった１つまたは複数の列に沿った、光検出器のサブセットを無効化すること含む。
【０１０５】
いくつかの実施形態では、方法は、試料内の異なる細胞から発せられる光等、試料内の異なる粒子からの光を区別するように、光検出器アレイ内の光検出器のサブセットを無効化することを含む。これら実施形態では、方法は、試料内の不要な細胞集団、細胞片、不純物、または非細胞成分からの散乱光等、試料の不要な成分からの光を遮るように、光検出器のサブセットを部分的または完全に無効化することを含む。例えば、具体的に試料内の２つの異なる細胞集団を特徴付けることが望まれる場合、光検出器アレイ内の、これら細胞集団からの光に対応する光検出器のみを有効化し、光検出器アレイ内のその他の光検出器を無効化することで、試料内のその他不要な細胞集団から発する光を遮ってよい。
【０１０６】
別の実施形態では、方法は、不要な光を光検出器アレイが検出しないように遮るため、光検出器アレイ内の光検出器のサブセットを無効化することを含む。例えば、方法は、照射光源からの入射光を検出器が検出しないように遮るため、光検出器のサブセットを部分的または無効化することを含んでよい。これら実施形態においては、方法は、光検出器アレイにわたる１つまたは複数の列の形態をとる、光検出器のサブセットを部分的または完全に無効化してよい。この形態は、この形態は、照射光源からの散乱光またはその他形式の遮られない入射光に対応する。
【０１０７】
光検出器アレイ内の、各有効光検出器の表面にあたる光は、１個以上の異なる波長、５個以上の異なる波長、１０個以上の異なる波長、２５個以上の異なる波長、５０個以上の異なる波長、１００個以上の異なる波長、２００個以上の異なる波長、３００個以上の異なる波長等で測定されてよく、さらに、４００個以上の異なる波長で収集された光を測定することも含む。
【０１０８】
いくつかの実施形態では、方法はある範囲の波長（例えば、２００ｎｍから１０００ｎｍ）にわたって検出された光を測定することを含む。例えば、方法は、２００ｎｍから１０００ｎｍの波長範囲のうちの１つまたは複数にわたって光のスペクトルを収集することをふくんでよい。さらに別の実施形態では、方法は、１つまたは複数の特定の波長から収集した光を測定することを含む。例えば、収集された光は、４５０ｎｍ、５１８ｎｍ、５１９ｎｍ、５６１ｎｍ、５７８ｎｍ、６０５ｎｍ、６０７ｎｍ、６２５ｎｍ、６５０ｎｍ、６６０ｎｍ、６６７ｎｍ、６７０ｎｍ、６６８ｎｍ、６９５ｎｍ、７１０ｎｍ、７２３ｎｍ、７８０ｎｍ、７８５ｎｍ、６４７ｎｍ、６１７ｎｍおよびそれらの任意の組合せの内の１つまたは複数で測定されてよい。
【０１０９】
検出光は、連続的にまたは離散間隔で測定されてよい。ある場合には、方法は、光の測定値を連続的に取得することを含む。別の場合では、光は、離散間隔で測定され、例えば、０．００１ミリ秒ごと、０．０１ミリ秒ごと、０．１ミリ秒ごと、１ミリ秒ごと、１０ミリ秒ごと、１００ミリ秒ごと等に光を測定し、さらに、１０００ミリ秒ごとまたは他のいくつかの間隔も含む。
【０１１０】
収集された光の測定値は、本方法において、１回以上取得されてよく、例えば、２回以上、３回以上、５回以上、さらに１０回以上も含む。特定の実施形態では、光の伝播は、２回以上測定され、場合によってはそのデータの平均をとってよい。キット
【０１１１】
本発明の態様はキットをさらに含む。キットはフローストリーム内で試料を流すように構成されたフローセルと、光学調整コンポーネント（例えば、ビームスプリッタ、コリメートレンズ、ミラー、波長セパレータ、ピンホール等）と、上述したスキャッタバー無しで、フローストリームからの光を別個に検出するように構成されたと、を備える。いくつかの実施形態において、本キットは、テーパ形状溶融光ファイバ束等の光ファイバを含む。別の実施形態では、キットはデジタルマイクロミラーデバイスを含んでよい。さらに別の実施形態では、キットは、アバランシェフォトダイオードアレイ等の光検出器アレイを含んでよい。
【０１１２】
いくつかの実施形態では、キットは、消化酵素成分または緩衝液等の流体成分を備える。例示的な緩衝液としては、数ある緩衝溶液タイプの中でも特に、限定されないが、ＰＢＳ（リン酸塩）緩衝液、酢酸塩緩衝液、Ｎ，Ｎ−ビス（２−ヒドロキシエチル）グリシン（ビシン）緩衝液、３−｛［トリス（ヒドロキシメチル）メチル］アミノ｝プロパンスルホン酸（ＴＡＰＳ）緩衝液、２−（Ｎ−モルホリノ）エタンスルホン酸（ＭＥＳ）緩衝液、クエン酸塩緩衝液、トリス（ヒドロキシメチル）メチルアミン（トリス）緩衝液、Ｎ−トリス（ヒドロキシメチル）メチルグリシン（トリシン）緩衝液、３−［Ｎ−トリス（ヒドロキシメチル）メチルアミノ］−２−ヒドロキシプロパンスルホン酸（ＴＡＰＳＯ）緩衝液、４−２−ヒドロキシエチル−１−ピペラジンエタンスルホン酸（ＨＥＰＥＳ）緩衝液、２−｛［トリス（ヒドロキシメチル）メチル］アミノ｝エタンスルホン酸（ＴＥＳ）緩衝液、ピペラジン−Ｎ，Ｎ’−ビス（２−エタンスルホン酸）（ＰＩＰＥＳ）緩衝液、ジメチルアルシン酸（カコジル酸塩）緩衝液、生理食塩水クエン酸ナトリウム（ＳＳＣ）緩衝液、２（Ｒ）−２−（メチルアミノ）コハク酸（コハク酸）緩衝液、リン酸カリウム緩衝液、Ｎ−シクロヘキシル−２−アミノエタンスルホン酸（ＣＨＥＳ）緩衝液を挙げることができる。ある特定の場合において、流体成分は、サイトメータグレード溶液である。
【０１１３】
さらに他の実施形態では、キットは標識試薬組成物を含む。例えば、標識試薬組成物は、フルオロフォア、発色団、酵素、酸化還元標識、放射標識、音響標識、ラマン（ＳＥＲＳ）タグ、質量タグ、同位元素タグ、磁性粒子、マイクロ粒子及びナノ粒子、またはそれらの組合せが含まれ得る。ある場合には、標識試薬は、フルオロフォア、発色団、酵素、酸化還元標識、放射標識、音響標識、ラマン（ＳＥＲＳ）タグ、質量タグ、同位元素タグ、磁性粒子、マイクロ粒子及びナノ粒子、またはそれらの組合せによって標識された、ポリペプチド、核酸、多糖等の標識生体分子を含む。
【０１１４】
キットの様々なアッセイコンポーネントは、別々の容器中にあってよく、またはそれらの一部もしくは全てが予め組み合わせられていてよい。例えば、ある場合には、キットの１つまたは複数のコンポーネント、例えば、フローセル、デジタルマイクロミラーデバイス、光検出器アレイは、密封されたポーチ、例えば滅菌フォイルポーチまたは包装材料の中に含まれる。
【０１１５】
上記のコンポーネントに加えて、当該キットは、本方法を実施するための説明書を（ある特定の実施形態では）さらに含んでよい。これらの説明書は、様々な形態で当該キットに含めてよく、そのうちの１つまたは複数がキット内に含まれてよい。これらの説明書が提供され得る１つの形態としては、キットのパッケージ、添付文書等で、適切な媒体または基板（例えば、情報が印刷される１枚または複数枚の紙）上に印刷された情報が挙げられる。これらの説明書のさらにもう１つの形態としては、当該情報が記録されているコンピュータ可読媒体、例えば、ディスケット、コンパクトディスク（ＣＤ）、ポータブルフラッシュドライブ等が挙げられる。これらの説明書の提供され得るさらにもう１つの形態としては、インターネットを介してリモートサイトの情報にアクセスするために使用され得るウェブサイトアドレスが挙げられる。利用性
【０１１６】
フローセル内の試料から光を別個に検出するための当該集光システムは、様々な用途において使用される。特定の実施形態では、当該集光システムは、試料からの光（例えば、フローサイトメータのフローストリーム内の試料からの蛍光または散乱光）の測定を強化するために使用される。本開示の実施形態は、研究やハイスループット実験室試験等、フローサイトメトリにおける放射および散乱光測定の有効性を向上させることが望まれる場合に使用される。また、本開示は、細胞分取精度の改善、粒子収集の強化、エネルギー消費量の低減、粒子荷電効率、より精度が高い粒子荷電および細胞分取の間の粒子偏向の強化をフローサイトメータに提供することが望ましい場合に使用される。
【０１１７】
また、本開示は、生体試料から準備された細胞が、研究および実験室試験に対してまたは治療における使用に対して望まれる可能性がある用途においても使用される。いくつかの実施形態では、当該方法およびデバイスは、目標流体または組織の生体試料から準備された個々の細胞を得ることを容易にすることができる。例えば、当該方法およびシステムは、癌等の病気のための研究または診断用試料として使用される予定の流体または組織試料から細胞を得ることを容易にする。同様に、当該方法およびシステムは、治療で使用される予定の流体または組織試料から細胞を得ることを容易にする。本開示の方法およびデバイスにより、従来のフローサイトメトリシステムと比較して、強化された効率と低コストとで、生体試料（例えば、器官、組織、組織片、流体）からの細胞の分離および収集が可能になる。
【０１１８】
添付の請求項にもかかわらず、本開示は、以下の項目によっても定義される。
（項目１）
フローストリーム内で試料を流すように構成されたフローセルと、
上記フローセル内の上記試料を照射するように構成された光源と、
スキャッタバー無しで、上記フローセルからの光を別個に検出するように構成された検出器ユニットと、
を備えるシステム。
（項目２）
上記検出器ユニットは、検出器を含む、項目１に記載のシステム。
（項目３）
上記検出器は、検出器アレイを含む、項目２に記載のシステム。
（項目４）
上記検出器アレイは、フォトダイオードのアレイを含む、項目３に記載のシステム。
（項目５）
上記検出器ユニットは、上記アレイ内の上記フォトダイオードのサブセットを無効化することで、上記フローストリームからの光を別個に検出するように構成される、項目４に記載のシステム。
（項目６）
上記無効化されたフォトダイオードのサブセットは、所定のパターンを形成する、項目５に記載のシステム。
（項目７）
上記無効化されたフォトダイオードのサブセットは、上記フォトダイオードアレイにわたった１つまたは複数の列を形成する、項目６に記載のシステム。
（項目８）
上記無効化されたフォトダイオードのサブセットは、対称パターンまたは非対称パターンを形成する、項目６に記載のシステム。
（項目９）
上記無効化されたフォトダイオードのサブセットは、対称パターンを形成する、項目８に記載のシステム。
（項目１０）
上記無効化されたフォトダイオードのサブセットは、非対称パターンを形成する、項目８に記載のシステム。
（項目１１）
上記フォトダイオードのサブセットの無効化は可逆的である、項目５から１０のいずれか一項に記載のシステム。
（項目１２）
上記フォトダイオードのサブセットの無効化は不可逆的である、項目５から１０のいずれか一項に記載のシステム。
（項目１３）
上記検出器ユニットはさらに、光学調整コンポーネントを含み、
上記検出器ユニットは、上記光学調整コンポーネントまたは上記検出器の１つまたは複数のコンポーネントを調節することで、上記フローストリームからの光を別個に検出する、項目１に記載のシステム。
（項目１４）
上記光学調整コンポーネントは溶融光ファイバコンポーネントを含み、上記検出器は検出器アレイを含む、項目１３に記載のシステム。
（項目１５）
上記溶融光ファイバコンポーネントは、テーパ形状の溶融光ファイバ束を含む、項目１４に記載のシステム。
（項目１６）
上記検出器ユニットはさらに、上記溶融光ファイバコンポーネントと上記検出器アレイとの間に配置された光伝導材料を含む、項目１４または１５に記載のシステム。
（項目１７）
上記光伝導材料は、ゲルを含む、項目１６に記載のシステム。
（項目１８）
上記光伝導材料は、屈折率整合ゲルを含む、項目１７に記載のシステム。
（項目１９）
上記光学調整コンポーネントは、１つまたは複数のレンズを含む、項目１３に記載のシステム。
（項目２０）
上記検出器アレイは、フォトダイオードのアレイを含む、項目１３から１９のいずれか一項に記載のシステム。
（項目２１）
上記検出器ユニットは、上記アレイ内の上記フォトダイオードのサブセットを無効化することで、上記フローストリームからの光を別個に検出するように構成される、項目２０に記載のシステム。
（項目２２）
上記無効化されたフォトダイオードのサブセットは、所定のパターンを形成する、項目２１に記載のシステム。
（項目２３）
上記無効化されたフォトダイオードのサブセットは、上記フォトダイオードアレイにわたった１つまたは複数の列を形成する、項目２２に記載のシステム。
（項目２４）
上記無効化されたフォトダイオードのサブセットは、対称パターンまたは非対称パターンを形成する、項目２２に記載のシステム。
（項目２５）
上記無効化されたフォトダイオードのサブセットは、対称パターンを形成する、項目２４に記載のシステム。
（項目２６）
上記無効化されたフォトダイオードのサブセットは、非対称パターンを形成する、項目２４に記載のシステム。
（項目２７）
上記フォトダイオードのサブセットの無効化は可逆的である、項目２１から２６のいずれか一項に記載のシステム。
（項目２８）
上記フォトダイオードのサブセットの無効化は不可逆的である、項目２１から２６のいずれか一項に記載のシステム。
（項目２９）
上記光学調整コンポーネントは、光マイクロマシンを含む、項目１３に記載のシステム。
（項目３０）
上記光学調整コンポーネントは、デジタルマイクロミラーデバイスを含む、項目２９に記載のシステム。
（項目３１）
上記検出器システムは、上記デジタルマイクロミラーデバイス上のミラーのサブセットを調節することで、上記フローストリームからの光を別個に検出するように構成される、項目３０に記載のシステム。
（項目３２）
上記検出器システムは、上記デジタルマイクロミラーデバイス上のミラーのサブセットを傾斜することで、上記フローストリームからの光を別個に検出するように構成される、項目３１に記載のシステム。
（項目３３）
上記検出器システムは、上記デジタルマイクロミラーデバイス上のミラーのサブセットを無効化することで、上記フローストリームからの光を別個に検出するように構成される、項目３１に記載のシステム。
（項目３４）
上記ミラーのサブセットは、電気的に無効化される、項目３３に記載のシステム。
（項目３５）
上記無効化されたミラーのサブセットは、所定のパターンを形成する、項目３３または３４に記載のシステム。
（項目３６）
上記無効化されたミラーのサブセットは、上記デジタルマイクロミラーデバイスにわたった１つまたは複数の列を形成する、項目３３から３５のいずれか一項に記載のシステム。
（項目３７）
上記無効化されたミラーのサブセットは、対称パターンまたは非対称パターンを形成する、項目３３から３６のいずれか一項に記載のシステム。
（項目３８）
上記無効化されたミラーのサブセットは、対称パターンを形成する、項目３７に記載のシステム。
（項目３９）
上記無効化されたミラーのサブセットは、非対称パターンを形成する、項目３７に記載のシステム。
（項目４０）
前記システムはフローサイトメータである、項目１から３９のいずれか一項に記載のシステム。
（項目４１）
光源により、フローストリーム内の試料を含むフローセルを照射することと、
スキャッタバー無しで、上記フローセルからの光を別個に検出するように構成された検出器ユニットにより、上記フローセルからの光を検出することと、
を含む方法。
（項目４２）
上記検出器ユニットは、検出器を含む、項目４１に記載の方法。
（項目４３）
上記検出器は、検出器アレイを含む、項目４２に記載の方法。
（項目４４）
上記検出器アレイは、フォトダイオードのアレイを含む、項目４３に記載の方法。
（項目４５）
上記アレイ内の上記フォトダイオードのサブセットを無効化することをさらに含む、項目４４に記載の方法。
（項目４６）
上記方法は、上記フォトダイオードのサブセットを所定のパターンの形態で無効化することを含む、項目４５に記載の方法。
（項目４７）
上記方法は、上記フォトダイオードアレイにわたった１つまたは複数の無効化されたフォトダイオードの列を形成するようにフォトダイオードを無効化することを含む、項目４６に記載の方法。
（項目４８）
上記方法は、対称パターンまたは非対称パターンを形成するようにフォトダイオードを無効化することを含む、項目４６に記載の方法。
（項目４９）
上記無効化されたフォトダイオードのサブセットは、対称パターンを形成する、項目４８に記載の方法。
（項目５０）
上記無効化されたフォトダイオードのサブセットは、非対称パターンを形成する、項目４８に記載の方法。
（項目５１）
上記無効化されたフォトダイオードのうちの１つまたは複数を再度有効化することをさらに含む、項目４５から５０のいずれか一項に記載の方法。
（項目５２）
上記検出器ユニットは、光学調整コンポーネントと、検出器とを含み、
上記方法は、上記光学調整コンポーネントまたは上記検出器の１つまたは複数のコンポーネントを調節することをさらに含む、項目４１に記載の方法。
（項目５３）
上記光学調整コンポーネントは溶融光ファイバコンポーネントを含み、上記検出器は検出器アレイを含む、項目５２に記載の方法。
（項目５４）
上記溶融光ファイバコンポーネントは、テーパ形状の溶融光ファイバ束を含む、項目５３に記載の方法。
（項目５５）
上記検出器ユニットはさらに、上記溶融光ファイバコンポーネントと上記検出器アレイとの間に配置された光伝導材料を含む、項目５２から５４のいずれか一項に記載の方法。
（項目５６）
上記光伝導材料は、ゲルを含む、項目５５に記載の方法。
（項目５７）
上記光伝導材料は、屈折率整合ゲルを含む、項目５６に記載の方法。
（項目５８）
上記光学調整コンポーネントは、１つまたは複数のレンズを含む、項目５２に記載の方法。
（項目５９）
上記検出器アレイは、フォトダイオードのアレイを含む、項目５３から５７のいずれか一項に記載の方法。
（項目６０）
上記アレイ内の上記フォトダイオードのサブセットを無効化することをさらに含む、項目５９に記載の方法。
（項目６１）
上記方法は、上記フォトダイオードのサブセットを所定のパターンの形態で無効化することを含む、項目６０に記載の方法。
（項目６２）
上記方法は、上記フォトダイオードアレイにわたった１つまたは複数の無効化されたフォトダイオードの列を形成するようにフォトダイオードを無効化することを含む、項目６１に記載の方法。
（項目６３）
上記方法は、上記フォトダイオードアレイ上に無効化されたフォトダイオードの対称パターンまたは上記フォトダイオードアレイ上に無効化されたフォトダイオードの非対称パターンを形成するようにフォトダイオードを無効化することを含む、項目６１に記載の方法。
（項目６４）
上記無効化されたフォトダイオードのサブセットは、対称パターンを形成する、項目６３に記載の方法。
（項目６５）
上記無効化されたフォトダイオードのサブセットは、非対称パターンを形成する、項目６３に記載の方法。
（項目６６）
上記無効化されたフォトダイオードのうちの１つまたは複数を再度有効化することをさらに含む、項目６０から６５のいずれか一項に記載の方法。
（項目６７）
上記光学調整コンポーネントは、光マイクロマシンを含む、項目５２に記載の方法。
（項目６８）
上記光学調整コンポーネントは、デジタルマイクロミラーデバイスを含む、項目５２に記載の方法。
（項目６９）
上記デジタルマイクロミラーデバイス上のミラーのサブセットを調節することをさらに含む、項目６８に記載の方法。
（項目７０）
調節することは、上記デジタルマイクロミラーデバイス上のミラーのサブセットを傾斜することを含む、項目６９に記載の方法。
（項目７１）
調節することは、上記デジタルマイクロミラーデバイス上のミラーのサブセットを無効化することを含む、項目６９に記載の方法。
（項目７２）
上記デジタルマイクロミラーデバイス上の上記ミラーのサブセットは、電気的に無効化される、項目７１に記載の方法。
（項目７３）
上記マイクロミラーのサブセットを所定のパターンの形態で無効化することを含む、項目７１または７２に記載の方法。
（項目７４）
上記方法は、上記デジタルマイクロミラーデバイスにわたった１つまたは複数の無効化されたマイクロミラーの列を形成するようにマイクロミラーを無効化することを含む、項目７１から７３のいずれか一項に記載の方法。
（項目７５）
上記方法は、上記デジタルマイクロミラーデバイス上の無効化されたマイクロミラーの対称パターンまたは非対称パターンを形成するようにマイクロミラーを無効化することを含む、項目７１から７４のいずれか一項に記載の方法。
（項目７６）
上記方法は、上記デジタルマイクロミラーデバイス上の無効化されたマイクロミラーの対称パターンを形成するようにマイクロミラーを無効化することを含む、項目７５に記載の方法。
（項目７７）
上記方法は、上記デジタルマイクロミラーデバイス上の無効化されたマイクロミラーの非対称パターンを形成するようにマイクロミラーを無効化することを含む、項目７５に記載の方法。
（項目７８）
上記無効化されたマイクロミラーのうちの１つまたは複数を再度有効化することをさらに含む、項目７１から７７のいずれか一項に記載の方法。
（項目７９）
上記光学調整コンポーネントまたは上記検出器の１つまたは複数のコンポーネントを、上記光源により上記試料を照射する前に調節する、項目４２から７８のいずれか一項に記載の方法。
（項目８０）
上記光学調整コンポーネントまたは上記検出器の１つまたは複数のコンポーネントを、上記光源により上記試料を照射しながら調節する、項目４２から７８のいずれか一項に記載の方法。
（項目８１）
上記試料は細胞を備える、項目４１から８０のいずれか一項に記載の方法。
（項目８２）
上記方法は、上記試料中の１つまたは複数の異なる種類の細胞集団を特定することをさらに含む、項目８１に記載の方法。
（項目８３）
フローストリーム内で試料を流すように構成されたフローセルと、
光学調整コンポーネントと、
スキャッタバー無しで、上記フローセルからの光を別個に検出するように構成された検出器ユニットと
を備えるキット。
（項目８４）
上記検出器ユニットは、
光学調整コンポーネントと、
検出器と、を備え、
上記検出器ユニットは、上記光学調整コンポーネントまたは上記検出器の１つまたは複数のコンポーネントを調節することで、上記フローセルからの光を別個に検出する、項目８３に記載のキット。
（項目８５）
上記光学調整コンポーネントは溶融光ファイバコンポーネントを含む、項目８４に記載のキット。
（項目８６）
上記光学調整コンポーネントは、テーパ形状の溶融光ファイバ束を含む、項目８５に記載のキット。
（項目８７）
上記光学調整コンポーネントは、デジタルマイクロミラーデバイスを含む、項目８４に記載のキット。
（項目８８）
上記検出器ユニットは、検出器アレイを含む、項目８４から８７のいずれか一項に記載のキット。
（項目８９）
上記検出器アレイは、フォトダイオードのアレイを含む、項目８８に記載のキット。
【０１１９】
前述した発明は、理解を明確にする目的で例示および例として多少詳細に説明してきたが、当業者であれば、この開示の教示を踏まえて、添付の特許請求の範囲の精神または範囲から逸脱することなく、発明に対してある変更や修正を行うことができることが容易に明らかであろう。
【０１２０】
それに従って、前述した記載は、単に、本発明の原理を示す。当業者は、本明細書で明示的に説明されても示されてもいないが、本発明の原理を具体化する様々な構成を考案することができ、それらの構成はその精神および範囲内に含まれることが理解されよう。その上、本明細書に記載の全ての例や条件語句は、主に、本発明の原理および発明者によって技術の進歩に寄与された概念を理解する上で読者を支援することを意図し、そのような具体的な記載の例および条件に対する限定のないものと解される。その上、本発明の原理、態様および実施形態ならびにそれらの特定の例について記載する本明細書のすべての言明は、それらの構造上の均等物と機能上の均等物との両方を包含することを意図する。それに加えて、そのような均等物は、現在知られている均等物と将来開発される均等物の両方（即ち、構造にかかわらず、同じ機能を実行する、開発された任意の要素）を含むことを意図する。さらに、本明細書に開示されたものはいずれも、そのような開示が特許請求の範囲に明示されているか否かにかかわらず、公衆に提供されたものではない。
【０１２１】
したがって、本発明の範囲は、本明細書で示され説明される例示的な実施形態に限定されることを意図しない。むしろ、本発明の範囲および精神は、添付の特許請求の範囲によって具体化される。請求項について、米国特許法第１１２条（ｆ）または米国特許法第１１２条（６）の規定は、「の手段」または「のステップ」という用語が請求項における限定の始めに言及された場合に限って、請求項における当該限定に対して該当すると明確に定義されており、これらの用語が請求項における限定に用いられていない場合、米国特許法第１１２条（ｆ）または第１１２条（６）の規定に該当しない。
【国際調査報告】
2021510818.tif 000002
2021510818.tif 000003
2021510818.tif 000004